(57)【要約】【課題】光ピックアップ装置を従来型光ディスクから高密度記録型光ディスクなどの各種メディアに対応可能とさせる。【解決手段】第一波長光を出射可能な第一発光素子１０と、第一波長光と異なる波長の第二波長光を出射可能な第二発光素子２０と、第一波長光を透過または反射させ第二波長光を反射させる偏光ミラー５６と、第一波長光を第一メディア１００上に集光させる第一対物レンズ６９と、第一波長光または第二波長光を第二メディア２００上に集光させる第二対物レンズ７９とを備える光ピックアップ装置１を構成する。これにより、第一メディア１００の規格と、第二メディア２００の規格とが異なる規格とされていても、一つの光ピックアップ装置１で、高密度記録規格の第一メディア１００と、第一メディア１００と異なる従来規格に対応の第二メディア２００とに対応可能となる。【選択図】図１
2007328895.tif 000002
【特許請求の範囲】
【請求項１】
第一波長光を出射可能な第一発光素子と、
該第一波長光と異なる波長の第二波長光を出射可能な第二発光素子と、
該第一波長光を透過または反射させ該第二波長光を反射させる偏光ミラーと、
該第一波長光を第一メディア上に集光させる第一対物レンズと、
該第一波長光または該第二波長光を第二メディア上に集光させる第二対物レンズと
を備えることを特徴とする光ピックアップ装置。
【請求項２】
前記第一波長光を自在に偏光可能な液晶素子をさらに備えることを特徴とする請求項１に記載の光ピックアップ装置。
【請求項３】
前記偏光ミラーを経由する前記第一波長光がＰ波とされたときに、該第一波長光は、該偏光ミラーを透過し前記第一対物レンズに達することを特徴とする請求項１又は２に記載の光ピックアップ装置。
【請求項４】
前記偏光ミラーを経由する前記第一波長光がＳ波とされたときに、該第一波長光は、該偏光ミラーにて反射され前記第二対物レンズに達することを特徴とする請求項１〜３の何れか１項に記載の光ピックアップ装置。
【請求項５】
前記第一波長光と異なる波長とされると共に前記第二波長光と異なる波長とされる第三波長光を出射可能な第三発光素子をさらに備えることを特徴とする請求項１〜４の何れか１項に記載の光ピックアップ装置。
【請求項６】
前記第三波長光は、前記偏光ミラーにより反射され、前記第二対物レンズにより第三メディアに集光されることを特徴とする請求項５に記載の光ピックアップ装置。
【請求項７】
前記第二発光素子は、
前記第二波長光と、
前記第一波長光と異なる波長とされると共に該第二波長光と異なる波長とされる第三波長光と
を出射可能な二波長発光素子とされたことを特徴とする請求項１〜４の何れか１項に記載の光ピックアップ装置。
【発明の詳細な説明】
【技術分野】
【０００１】
本発明は、「ＨＤ  ＤＶＤ」（High Definition DVD ）（登録商標）や「Blu-ray Disc」（登録商標）などの複数のメディアに記録されたデータを再生させることや、複数のメディアにデータを記録させることが可能な光ピックアップ装置に関するものである。
【背景技術】
【０００２】
図５は、従来の光ピックアップ装置の一形態を示す概略図である。
【０００３】
光ディスク装置が用いられて、メディアにおける情報などのデータの再生または記録が行われる。メディア（media ）とは、情報を記録して媒介するものや情報を記録して伝達するものを意味する。メディアとして、例えば、ＣＤ（Compact Disc）（商標）などの光ディスク７００等が挙げられる。
【０００４】
レーザドライバ５１０からレーザダイオード５２０へ電流が流されて、レーザダイオード５２０からレーザ光／レーザ（LASER：light amplification by stimulated emission of radiation）が出力される。レーザドライバ５１０は、レーザダイオード５２０を駆動させてレーザダイオード５２０からレーザ光を出させるレーザ駆動回路５１０を構成するものである。レーザドライバ５１０からレーザダイオード５２０に電流が供給され、レーザダイオード５２０から出射されたレーザ光により、ディスク７００に情報の記録が行われたり、ディスク７００に記録された情報の再生が行われたりする。
【０００５】
レーザダイオード５２０から出力されたレーザ光は、回折格子５３０、中間レンズ５４０、ハーフミラー５５０、対物レンズ５６０を介して、ディスク７００に照射される。回折格子５３０は、光の回折を利用して、レーザダイオード５２０から出射されたレーザ光を幾つかのビーム（図示せず）に分けるものとされている。また、対物レンズ５６０は、ディスク７００の信号部７０１へレーザ光を集光させる役目を果たす。ディスク７００から反射されたレーザ光の一部は、フォトディテクタ５７０などに戻される。フォトディテクタ５７０は、光を受けて、その信号を電気信号に変えて、光ピックアップ装置５０１のレンズホルダ（図示せず）のサーボ機構（図示せず）を動作させるための信号を出力する。サーボもしくはサーボ機構とは、制御の対象とされるものの状態を測定し、測定したものと基準値とを比較して、自動的に修正制御を行わせる機構のものを意味する。
【０００６】
また、レーザダイオード５２０から出力されるレーザ光の一部は、フロントモニタダイオード５８０に入る。フロントモニタダイオード５８０は、レーザダイオード５２０から出力されるレーザ光をモニタして、レーザダイオード５２０を制御するためにフィードバックをかけるものとされている。
【０００７】
レーザドライバ５１０、レーザダイオード５２０、回折格子５３０、中間レンズ５４０、ハーフミラー５５０、対物レンズ５６０、フォトディテクタ５７０、フロントモニタダイオード５８０は、ハウジング（図示せず）などに取り付けられている。ハウジングとは、部品が収容される箱形のもの等の物が入れられる箱や、箱に類似したものを意味する。
【０００８】
また、レーザドライバ５１０、レーザダイオード５２０、フォトディテクタ５７０、フロントモニタダイオード５８０は、フレキシブルプリントサーキット５０５に通電可能に接続されている。フレキシブルプリントサーキットが製造される工程について説明すると、例えば銅箔などの金属箔となる複数の回路導体が、絶縁シートに印刷されて並設される。その上に保護層が設けられて、フレキシブルプリントサーキットが構成される。
【０００９】
光学式ピックアップ装置５０１は、上述した各種のものを備えるものとして構成されている。なお、光学式ピックアップ装置５０１は、図示されたもの以外に、他の構成要素（図示せず）も備えるが、図５においては、それらの構成要素は、便宜上、省略した。
【００１０】
光ピックアップ装置５０１のレーザダイオード５２０から出射されたレーザ光は、対物レンズ５６０を通り抜け、プレーヤ本体内に装備されたＣＤ等の光ディスク７００に当てられる。レーザダイオード５２０から出射されたレーザ光により、光ディスク７００に情報の記録が行われたり、光ディスク７００に記録された情報が再生されたりする。このようにして、光ディスク装置における情報の記録または再生が行われる。
【００１１】
従来の光ピックアップ装置に関するものとして、例えば、別途の可変絞りなどが不要なＣＤ（Compact Disc）形状及びＤＶＤ（Digital Versatile Disc）に全て互換できる光ピックアップというものがある（例えば、特許文献１参照。）。
【００１２】
また、従来の光ピックアップ装置に関するものとして、例えば、ブルーレーザを含む多種の波長のレーザに対応しても薄型化もしくは小型の少なくとも一方を実現できる光ピックアップ装置及び光ディスク装置というものがある（例えば、特許文献２参照。）。
【特許文献１】特開平１１−２２４４３６号公報（第１，３頁、第３図）
【特許文献２】特開２００５−３２２８６号公報（第１，３頁、第１図）
【発明の開示】
【発明が解決しようとする課題】
【００１３】
近年、従来のＣＤ規格やＤＶＤ規格よりも高密度な記録が可能とされた「Blu-ray Disc」規格や「ＨＤ  ＤＶＤ」規格などの各種規格のメディアが発表された。しかしながら、図５に示す上記従来の光ピックアップ装置５０１にあっては、ＣＤ等の従来型光ディスク７００にのみ対応し、Blu-ray Discなどの高密度記録型光ディスクには非対応とされていた。
【００１４】
従来の規格に非対応とされながら高密度な記録が可能とされた新しい規格のBlu-ray Disc規格のメディアと、「ＨＤ  ＤＶＤ」などのＤＶＤ規格のメディアと、ＣＤ規格のメディアとは、異なる規格とされている。これまで、全く異なる規格の前記各メディアに対応可能な単一の光ピックアップ装置を開発することは困難とされていた。
【００１５】
これに対応するために、各メディアに対応可能な複数の光ピックアップ装置を備える光ディスク装置（図示せず）も考えられた。例えば、Blu-ray Disc規格のメディアに対応する第一の光ピックアップ装置（図示せず）と、ＤＶＤ規格のメディアおよびＣＤ規格のメディアに対応する第二の光ピックアップ装置（図示せず）との二つの光ピックアップ装置を備えた光ディスク装置も考えられた。
【００１６】
しかしながら、Blu-ray Disc規格のメディアに対応する不図示の第一光ピックアップ装置と、ＤＶＤ規格のメディアおよびＣＤ規格のメディアに対応する不図示の第二光ピックアップ装置との複数の光ピックアップ装置を備える光ディスク装置は、部品点数が増加することから、大型化されて重量が増え、価格も高価なものとなることが懸念されていた。
【００１７】
本発明は、上記問題点を解決することにある。本発明は、上記した点に鑑み、従来型光ディスクから高密度記録型光ディスクなどの各種メディアに対応可能な光ピックアップ装置を提供することを目的とする。
【課題を解決するための手段】
【００１８】
上記目的を達成するために、本発明の請求項１に係る光ピックアップ装置は、第一波長光を出射可能な第一発光素子と、該第一波長光と異なる波長の第二波長光を出射可能な第二発光素子と、該第一波長光を透過または反射させ該第二波長光を反射させる偏光ミラーと、該第一波長光を第一メディア上に集光させる第一対物レンズと、該第一波長光または該第二波長光を第二メディア上に集光させる第二対物レンズとを備えることを特徴とする。
【００１９】
上記構成により、第一メディアの規格と、第二メディアの規格とが異なる規格とされていても、第一メディアと、第二メディアとに対応した光ピックアップ装置の提供が可能となる。例えば、第一メディアが従来の規格に非対応とされながら高密度な記録が可能とされたメディアとされ、第二メディアが従来の規格に対応したメディアとされた場合、異なる規格の第一メディアおよび第二メディアに対応可能な単一の光ピックアップ装置を開発することは困難とされていた。これに対応するために、例えば、第一メディアに対応する第一光ピックアップ装置と、第二メディアに対応する第二光ピックアップ装置との二つの光ピックアップ装置を用いることも考えられた。しかしながら、複数の光ピックアップ装置が用いられるものは、部品点数が増加することから、大型化されて重量が増え、価格も高価なものとなることが懸念されていた。これに対し、第一波長光を出射可能な第一発光素子と、第一波長光と異なる波長の第二波長光を出射可能な第二発光素子と、第一波長光を透過または反射させ第二波長光を反射させる偏光ミラーと、第一波長光を第一メディア上に集光させる第一対物レンズと、第一波長光または第二波長光を第二メディア上に集光させる第二対物レンズとを備える光ピックアップ装置が構成されていれば、一つの光ピックアップ装置で、高密度記録規格の第一メディアと、第一メディアと異なる従来規格に対応の第二メディアとに対応可能となる。従って、異なる規格の各メディアに対応した光ピックアップ装置の提供が可能となる。
【００２０】
請求項２に係る光ピックアップ装置は、請求項１に記載の光ピックアップ装置において、前記第一波長光を自在に偏光可能な液晶素子をさらに備えることを特徴とする。
【００２１】
上記構成により、第一波長光は、第一対物レンズまたは第二対物レンズに向けて振り分けられる。液晶素子を用いて第一波長光の偏光状態を変化させることにより、第一波長光は、偏光ミラーを透過したり反射したりすることとなる。これにより、第一波長光は、第一対物レンズまたは第二対物レンズに向けて振り分けられる。
【００２２】
請求項３に係る光ピックアップ装置は、請求項１又は２に記載の光ピックアップ装置において、前記偏光ミラーを経由する前記第一波長光がＰ波とされたときに、該第一波長光は、該偏光ミラーを透過し前記第一対物レンズに達することを特徴とする。
【００２３】
上記構成により、Ｐ波の第一波長光は、偏光ミラーを透過して第一対物レンズに確実に達する。Ｐ波の「Ｐ」は、ドイツ語の「parallel」の略称とされ、「平行」を意味する。偏光ミラーを経由した第一波長光がＰ波とされ、第一波長光の偏光状態が明確化される。偏光ミラーは、Ｐ波の第一波長光を透過させるものとして形成されている。これにより、Ｐ波の第一波長光は、偏光ミラーを確実に透過して、第一対物レンズに確実に達する。
【００２４】
請求項４に係る光ピックアップ装置は、請求項１〜３の何れか１項に記載の光ピックアップ装置において、前記偏光ミラーを経由する前記第一波長光がＳ波とされたときに、該第一波長光は、該偏光ミラーにて反射され前記第二対物レンズに達することを特徴とする。
【００２５】
上記構成により、Ｓ波の第一波長光は、偏光ミラーにて反射され第二対物レンズに確実に達する。Ｓ波の「Ｓ」は、ドイツ語の「senkrecht 」の略称とされ、「垂直」を意味す
る。偏光ミラーを経由した第一波長光がＳ波とされ、第一波長光の偏光状態が明確化される。偏光ミラーは、Ｓ波の第一波長光を反射させるものとして形成されている。これにより、Ｓ波の第一波長光は、偏光ミラーにて確実に反射され、第二対物レンズに確実に達する。
【００２６】
請求項５に係る光ピックアップ装置は、請求項１〜４の何れか１項に記載の光ピックアップ装置において、前記第一波長光と異なる波長とされると共に前記第二波長光と異なる波長とされる第三波長光を出射可能な第三発光素子をさらに備えることを特徴とする。
【００２７】
上記構成により、光ピックアップ装置は、第三波長光に対応したメディアにも対応可能となる。従って、多種のメディアに対応した光ピックアップ装置の提供が可能となる。
【００２８】
請求項６に係る光ピックアップ装置は、請求項５に記載の光ピックアップ装置において、前記第三波長光は、前記偏光ミラーにより反射され、前記第二対物レンズにより第三メディアに集光されることを特徴とする。
【００２９】
上記構成により、光ピックアップ装置は、第三波長光に対応した第三メディアにも対応可能となる。この光ピックアップ装置は、第一波長光に対応した第一メディアと、第二波長光に対応した第二メディアと、第三波長光に対応した第三メディアとに対応可能となる。従って、異なる規格の各種メディアに対応した光ピックアップ装置の提供が可能となる。
【００３０】
請求項７に係る光ピックアップ装置は、請求項１〜４の何れか１項に記載の光ピックアップ装置において、前記第二発光素子は、前記第二波長光と、前記第一波長光と異なる波長とされると共に該第二波長光と異なる波長とされる第三波長光とを出射可能な二波長発光素子とされたことを特徴とする。
【００３１】
上記構成により、多種のメディアに対応可能な光ピックアップ装置が構成されると共に、光ピックアップ装置の部品点数の削減化が図られる。第二発光素子は、第二波長光と、第三波長光との二種類の波長光を出射可能な二波長発光素子として構成されているので、光ピックアップ装置は、多種のメディアに対応可能となる。また、これと共に、第二波長光を出射可能な発光素子と、第三波長光を出射可能な発光素子とが、一つの発光素子としてまとめられているので、光ピックアップ装置の部品削減化、軽量化、小型化、価格低減化が図られることとなる。従って、多種のメディアに対応可能とされると共に、部品削減化、軽量化、小型化、価格低減化が図られた光ピックアップ装置の提供が可能となる。
【発明の効果】
【００３２】
以上の如く、請求項１に記載の発明によれば、第一メディアの規格と、第二メディアの規格とが異なる規格とされていても、第一メディアと、第二メディアとに対応した光ピックアップ装置を提供することができる。例えば、第一メディアが従来の規格に非対応とされながら高密度な記録が可能とされたメディアとされ、第二メディアが従来の規格に対応したメディアとされた場合、異なる規格の第一メディアおよび第二メディアに対応可能な単一の光ピックアップ装置を開発することは困難とされていた。これに対応するために、例えば、第一メディアに対応する第一光ピックアップ装置と、第二メディアに対応する第二光ピックアップ装置との二つの光ピックアップ装置を用いることも考えられた。しかしながら、複数の光ピックアップ装置が用いられるものは、部品点数が増加することから、大型化されて重量が増え、価格も高価なものとなることが懸念されていた。これに対し、第一波長光を出射可能な第一発光素子と、第一波長光と異なる波長の第二波長光を出射可能な第二発光素子と、第一波長光を透過または反射させ第二波長光を反射させる偏光ミラーと、第一波長光を第一メディア上に集光させる第一対物レンズと、第一波長光または第
二波長光を第二メディア上に集光させる第二対物レンズとを備える光ピックアップ装置が構成されていれば、一つの光ピックアップ装置で、高密度記録規格の第一メディアと、第一メディアと異なる従来規格に対応の第二メディアとに対応可能となる。従って、異なる規格の各メディアに対応した光ピックアップ装置を提供することができる。
【００３３】
請求項２に記載の発明によれば、第一波長光を、第一対物レンズまたは第二対物レンズに向けて振り分けることができる。液晶素子を用いて第一波長光の偏光状態を変化させることにより、第一波長光は、偏光ミラーを透過したり反射したりすることとなる。これにより、第一波長光は、第一対物レンズまたは第二対物レンズに向けて振り分けられる。
【００３４】
請求項３に記載の発明によれば、Ｐ波の第一波長光は、偏光ミラーを透過して第一対物レンズに確実に達する。偏光ミラーを経由した第一波長光がＰ波とされ、第一波長光の偏光状態が明確化される。偏光ミラーは、Ｐ波の第一波長光を透過させるものとして形成されている。これにより、Ｐ波の第一波長光は、偏光ミラーを確実に透過して、第一対物レンズに確実に達する。
【００３５】
請求項４に記載の発明によれば、Ｓ波の第一波長光は、偏光ミラーにて反射され第二対物レンズに確実に達する。偏光ミラーを経由した第一波長光がＳ波とされ、第一波長光の偏光状態が明確化される。偏光ミラーは、Ｓ波の第一波長光を反射させるものとして形成されている。これにより、Ｓ波の第一波長光は、偏光ミラーにて確実に反射され、第二対物レンズに確実に達する。
【００３６】
請求項５に記載の発明によれば、光ピックアップ装置は、第三波長光に対応したメディアにも対応可能となる。従って、多種のメディアに対応した光ピックアップ装置を提供することができる。
【００３７】
請求項６に記載の発明によれば、光ピックアップ装置は、第三波長光に対応した第三メディアにも対応可能となる。この光ピックアップ装置は、第一波長光に対応した第一メディアと、第二波長光に対応した第二メディアと、第三波長光に対応した第三メディアとに対応可能となる。従って、異なる規格の各種メディアに対応した光ピックアップ装置を提供することができる。
【００３８】
請求項７に記載の発明によれば、多種のメディアに対応可能な光ピックアップ装置が構成されると共に、光ピックアップ装置の部品点数の削減化が図られる。第二発光素子は、第二波長光と、第三波長光との二種類の波長光を出射可能な二波長発光素子として構成されているので、光ピックアップ装置は、多種のメディアに対応可能となる。また、これと共に、第二波長光を出射可能な発光素子と、第三波長光を出射可能な発光素子とが、一つの発光素子としてまとめられているので、光ピックアップ装置の部品削減化、軽量化、小型化、価格低減化が図られることとなる。従って、多種のメディアに対応可能とされると共に、部品削減化、軽量化、小型化、価格低減化が図られた光ピックアップ装置を提供することができる。
【発明を実施するための最良の形態】
【００３９】
以下に本発明に係る光ピックアップ装置の実施の形態を図面に基づいて詳細に説明する。
【実施例１】
【００４０】
図１は、本発明に係る光ピックアップ装置の第一の実施形態を示す概略図である。
【００４１】
光ディスク装置（図示せず）内に各種光ディスクなどの各種メディアが挿入される。光
ディスク装置内に入れられる各種光ディスク１００，２００は、円板状に形成されている。ディスクとして、例えば、「ＣＤ−ＲＯＭ」，「ＤＶＤ−ＲＯＭ」などのデータ読出し専用の光ディスクや、「ＣＤ−Ｒ」，「ＤＶＤ−Ｒ」，「ＤＶＤ＋Ｒ」などのデータ追記型の光ディスクや、「ＣＤ−ＲＷ」，「ＤＶＤ−ＲＷ」，「ＤＶＤ＋ＲＷ」（登録商標），「ＤＶＤ−ＲＡＭ」，「ＨＤ  ＤＶＤ」，「Blu-ray Disc」などのデータ書込み／消去やデータ書換え可能なタイプの光ディスクなどが挙げられる。
【００４２】
また、ディスクとして、例えばディスク両面に信号面が設けられ、データ書込み／消去やデータ書換えが可能とされた光ディスク（図示せず）等も挙げられる。また、ディスクとして、例えば二層の信号面が設けられ、データ書込み／消去やデータ書換えが可能とされた光ディスク（図示せず）等も挙げられる。また、例えば三層の信号面が設けられ、データ書込み／消去やデータ書換えが可能とされた「ＨＤ  ＤＶＤ」用光ディスク（図示せず）等も挙げられる。また、例えば四層の信号面が設けられ、データ書込み／消去やデータ書換えが可能とされた「Blu-ray Disc」用光ディスク（図示せず）等も挙げられる。
【００４３】
第一光ディスク１００の信号部１５０は、例えば金属薄膜などの金属層等により形成されている。金属薄膜などから形成される層の信号面１５０に、情報やデータなどが記録される。また、第二光ディスク２００の信号部２５０も、例えば金属薄膜などの金属層等により形成されている。金属薄膜などから形成される層の信号面２５０に、情報やデータなどが記録される。
【００４４】
光ディスク装置は、前記各種ディスクに対応可能とされている。光ディスク装置が用いられて、各種光ディスク１００，２００に記録された情報などのデータ再生が行われる。また、光ディスク装置が用いられて、各種光ディスク１００，２００に情報などのデータ記録が行われる。
【００４５】
光ディスク装置内にてデータなどの情報の記録が可能な光ディスク１００，２００においては、光ディスク１００，２００の信号部１５０，２５０に、データ／情報が保存されるためのグルーブ（図示せず）が設けられている。グルーブ（groove）とは、細長いへこみを意味する。円板状光ディスク１００，２００が平面視されたときに、グルーブは、略螺旋状に形成されている。光ディスク１００，２００の信号面側から、光ディスク１００，２００を眺めたときに、グルーブは、渦巻状のものとされる。グルーブは、非常に小さいものとされているので、グルーブは、目視不能とされる。図１において、便宜上、破線を用いて、光ディスク１００，２００の信号部１５０，２５０を示した。
【００４６】
光ディスクについて説明する。「ＣＤ」は、「Compact Disc」（商標）の略称である。また、「ＤＶＤ」（登録商標）は、「Digital Versatile Disc」の略称である。また、「ＣＤ−ＲＯＭ」もしくは「ＤＶＤ−ＲＯＭ」の「ＲＯＭ」は、「Read Only Memory」の略称である。「ＣＤ−ＲＯＭ」もしくは「ＤＶＤ−ＲＯＭ」は、データ／情報読出し専用のものである。また、「ＣＤ−Ｒ」または「ＤＶＤ−Ｒ」もしくは「ＤＶＤ＋Ｒ」の「Ｒ」は、「Recordable」の略称である。「ＣＤ−Ｒ」または「ＤＶＤ−Ｒ」もしくは「ＤＶＤ＋Ｒ」は、データ／情報の書込みが可能なものである。また、「ＣＤ−ＲＷ」または「ＤＶＤ−ＲＷ」もしくは「ＤＶＤ＋ＲＷ」の「ＲＷ」は、「Re-Writable 」の略称である。「ＣＤ−ＲＷ」または「ＤＶＤ−ＲＷ」もしくは「ＤＶＤ＋ＲＷ」は、データ／情報の書換えが可能なものである。また、「ＤＶＤ−ＲＡＭ」は、「Digital Versatile Disc Random Access Memory 」の略称である。「ＤＶＤ−ＲＡＭ」は、データ／情報の読み書き／消去が可能なものである。
【００４７】
また、「ＨＤ  ＤＶＤ」は、「High Definition DVD 」の略称である。「ＨＤ  ＤＶＤ」は、従来のＤＶＤ系列のものと互換性をもたせ、且つ、従来のＤＶＤ系列のディスクよ
りも記憶容量の大きいものである。従来のＣＤには、赤外レーザが用いられていた。また、従来のＤＶＤには、赤色レーザが用いられていた。しかしながら、「ＨＤ  ＤＶＤ」の光ディスク２００に記録されたデータ／情報が読み出されるときや、「ＨＤ  ＤＶＤ」の光ディスク２００にデータ／情報が書き込まれるときには、青紫色レーザが用いられる。また、「Blu-ray 」とは、従来の信号の読書きに用いられていた赤色のレーザに対し、高密度記録が実現されるために採用された青紫色のレーザを意味する。
【００４８】
光ピックアップ装置１は、前記各種光ディスクに記録されたデータを再生させたり、前記書込み可能もしくは書換え可能な各種光ディスクにデータを記録させたりするものとされている。光ピックアップ（Optical Pickup）または光ピックアップ装置（Optical Pickup Unit）は、例えば「ＯＰＵ」と略称される。ＯＰＵ１は、ＣＤ系のメディアと、ＤＶＤ系のメディアと、Blu-ray Disc系のメディアとに対応したものとされている。このように、ＯＰＵ１は、複数のメディアに対応したものとされている。
【００４９】
このＯＰＵ１における集光スポットＳｂ，Ｓｄのフォーカシング検出法は、差動非点収差法に基づいた検出法とされている。差動非点収差法とは、例えば、非点収差をもった光学系で結像した点像ひずみを検出することにより、集光スポットＳｂ，Ｓｄの変位を検出する方法とされる。このＯＰＵ１は、差動非点収差法による光学系を備えたＯＰＵ１とされている。
【００５０】
また、このＯＰＵ１における集光スポットＳｂ，Ｓｄのトラッキング検出法は、差動プッシュプル法や、位相差法に基づいた検出法とされる。差動プッシュプル法とは、例えば、データ読書き用のメインビームと、位置ずれの補正信号を検出する二つのサブビームとにより、集光スポットＳｂ，Ｓｄの変位を検出する方法とされる。位相差法とは、例えば、四分割型光検出器１９，４９によって検出される位相差信号に基づいた検出法とされる。
【００５１】
フォーカスとは、焦点やピントを意味する。また、フォーカシングとは、焦点を合わせることや、焦点が合わせられることを意味する。また、トラッキングとは、光を用いて、光ディスク１００，２００の信号部１５０，２５０に設けられた微小なピット（穴、凹み）や、グルーブ（溝）、ウォブル（蛇行）などを追跡観測し、略螺旋状に描かれた軌道の位置を定めることを意味する。また、この明細書におけるフォーカス方向Ｄｆまたはトラッキング方向Ｄｔの定義は、ＯＰＵを説明するための便宜上の定義とされる。
【００５２】
先ず、第一の発光素子１０から出射されるレーザの光路について説明する。一つのレーザドライバ（図示せず）から第一の発光素子１０へ電流が流されて、第一の発光素子１０から第一波長のレーザ光が出力される。詳しく説明すると、不図示の一つのレーザドライバから「ＨＤ  ＤＶＤ」用もしくは「Blu-ray Disc」用の発光素子１０へ電流が流されて、「ＨＤ  ＤＶＤ」用もしくは「Blu-ray Disc」用発光素子１０から「ＨＤ  ＤＶＤ」用もしくは「Blu-ray Disc」系ディスクに対応した波長のレーザ光が出力される。第一の発光素子１０は、例えば波長が約３９０〜４２０ｎｍ（ナノメータ）、基準とされる波長が略４０５ｎｍの青紫色レーザ光を出射可能な「ＨＤ  ＤＶＤ」用および「Blu-ray Disc」用レーザダイオードである。レーザダイオード（Laser Diode ）は、「ＬＤ」と略称される。
【００５３】
また、レーザドライバは「ＬＤＤ」等と呼ばれている。「ＬＤＤ」は「ＬＤ Driver 」の略称である。不図示のＬＤＤは、第一のＬＤ１０を駆動させて第一のＬＤ１０から第一波長のレーザ光を出射するレーザ駆動回路とされている。
【００５４】
第一のＬＤ１０から出射されたレーザ光が、「Blu-ray Disc」規格の光ディスク１００
に照射されるまでの光路について説明する。不図示のＬＤＤから第一のＬＤ１０に電流が供給され、第一のＬＤ１０から出射された波長３９０〜４２０ｎｍの青紫色レーザ光により、「Blu-ray Disc」規格の光ディスク１００に情報の記録が行われたり、「Blu-ray Disc」規格の光ディスク１００に記録された情報が再生されたりする。第一のＬＤ１０は、特殊なＬＤとして構成されている。
【００５５】
ＬＤが発光するとＬＤから熱が生じる。発光するＬＤから生じた熱により、ＬＤ自体の温度が変化する。また、ＬＤにおける発振波長は、温度に依存する。そのため、ＬＤ自体の温度が変化すると、ＬＤから出射されるレーザ光の波長が変動する。レーザ光の波長は、なるべく変動されることなく略一定の波長に保たれることが好ましい。
【００５６】
第一のＬＤ１０から出力された第一波長のレーザ光は、「ＨＤ  ＤＶＤ」用もしくは「Blu-ray Disc」用の第一の往路用ＤＯＥ１２を通り抜ける。ＤＯＥ（Diffractive Optical Element ）とは、光の回折現象を利用して光の進行方向を変える回折光学素子を意味する。ＤＯＥは、特殊グレーティングと、１／２波長板とが合わせられ、一つのものとして構成されている。グレーティング（grating ）とは、回折格子を意味する。回折格子は、光の回折を利用して、ＬＤから出射されたレーザ光を幾つかに分けるものとされている。詳しく説明すると、回折格子は、光の回折を利用して、ＬＤから出射されたレーザ光を、一つのメインビームと、二つのサブビームとに分ける役割を果たすものとされている。また、１／２波長板は、直線偏光の偏光方向を変える役割を果たすものとされている。１／２波長板（Half Wave Plate ）は、ＨＷＰとも呼ばれる。また、１／２波長板は、１／２λ（ラムダ）板とも呼ばれている。第一波長のレーザ光が第一の往路用ＤＯＥ１２を透過したときに、第一波長のレーザ光は直線偏光Ｐ波となる。
【００５７】
Ｐ波の「Ｐ」は、ドイツ語の「parallel」の略称とされ、「平行」を意味する。また、Ｐ波に対するＳ波の「Ｓ」は、ドイツ語の「senkrecht 」の略称とされ、「垂直」を意味する。ＯＰＵの設計／仕様などにより、Ｐ波およびＳ波は、使い分けられる。第一の往路用ＤＯＥ１２を透過した直線偏光Ｐ波の第一波長レーザ光は、第一の偏光ビームスプリッタ１３に入射される。第一の偏光ビームスプリッタ１３は、偏光ビームスプリッタ１３内において、Ｐ波を略直進させて透過させ、Ｓ波を略直角に反射させるものとして構成されている。
【００５８】
偏光ビームスプリッタは、ＬＤから出射されたレーザ光が偏光ビームスプリッタ内を透過するときに、光ディスクに照射されるレーザ光に非点が出されないものとされるために、レーザ光の光路上に設けられる。非点とは、例えばピントの位置ずれを意味する。偏光ビームスプリッタは、ＰＢＳと略称して用いられる。「ＰＢＳ」は、「Polarized Beam Splitter 」もしくは「Polarizing Beam Splitter」の略称である。
【００５９】
第一のＰＢＳ１３は、略三角柱状の第一部材１３Ａと、この第一部材１３Ａに合わせられる略三角柱状の第二部材１３Ｂとを備えるものとして構成されている。略三角柱状の第一部材１３Ａと、略三角柱状の第二部材１３Ｂとが合わせられることで、略立方体形状の第一のＰＢＳ１３が構成される。第一のＰＢＳ１３を構成する第一部材１３Ａと、第一のＰＢＳ１３を構成する第二部材１３Ｂとの間に、特殊な膜１３ｆが設けられている。第一のＰＢＳ１３内に、特殊な膜１３ｆが形成されている。第一のＰＢＳ１３内に、Ｐ波を略直進させて透過させ、Ｓ波を略直角に反射させる特殊皮膜１３ｆが設けられている。
【００６０】
これにより、第一のＰＢＳ１３に入射されたＰ波のレーザ光は、略直進して第一のＰＢＳ１３内を通り抜け第一のＰＢＳ１３から出射する。また、第一のＰＢＳ１３に入射されたＳ波のレーザ光は、第一のＰＢＳ１３内において略直角に反射されて第一のＰＢＳ１３内を通り抜け第一のＰＢＳ１３から出射する。内部に特殊な膜１３ｆを備えたＰＢＳ１３
として、例えば、タムロン社製：ＰＢＳプリズムなどが挙げられる。第一の往路用ＤＯＥ１２を透過した直線偏光Ｐ波の第一波長レーザ光は、第一のＰＢＳ１３内を略直進して通り抜ける。
【００６１】
第一のＰＢＳ１３内を略直進して透過した第一波長のレーザ光は、「ＨＤ  ＤＶＤ」用もしくは「Blu-ray Disc」用の第一のコリメータレンズ１５を通り抜ける。コリメータレンズは、ＬＤ側からレンズに入射された光を平行光にして出射させる。平行光とは、光線が広がらずにどこまでも平行に進む光を意味する。これに対し、拡散光とは、さまざまな方向に光を拡散させて照射させる光源の光を意味する。コリメータレンズ（Collimator Lens ）は、「ＣＬ」と略称される。
【００６２】
第一のＣＬ１５を透過して平行光となった第一波長のレーザ光は、第一波長光反射用の第一反射性ミラー１６に当てられる。第一反射性ミラー１６に、レーザ光を略全反射させる皮膜１６ｆが設けられている。従って、反射性ミラー１６に当てられたレーザ光は、略全反射される。光を略全反射させる皮膜が形成された反射性ミラーとして、例えば、日東工器社製：全反射ミラーなどが挙げられる。
【００６３】
第一の反射性ミラー１６に当てられた第一波長のレーザ光は、略直角に反射され液晶素子５０を通り抜ける。液晶素子は、電圧のＯＮ／ＯＦＦにより偏光状態を切替え可能なアクティブ波長板として構成されている。液晶とは、固体と液体との中間的な状態の物質を意味する。液晶材料は、全体が液体のような流動性を示すものとされながら、結晶に似た構造の規則性をもつものとされ、光学的に異方性をもつものとされている。
【００６４】
アクティブ波長板５０は、第一波長光反射用の反射性ミラー１６側に位置する略板状の第一部材５０Ａと、ダイクロイックミラー５１側に位置する略板状の第二部材５０Ｂと、第一部材５０Ａと第二部材５０Ｂとに挟まれた略板状の第三部材５０Ｃとを備える三層構造のものとして構成されている。
【００６５】
アクティブ波長板５０を構成する第一部材５０Ａは、液晶分子（図示せず）などを備える透過性のものとされている。また、アクティブ波長板５０を構成する第二部材５０Ｂも、液晶分子（図示せず）などを備える透過性のものとされている。また、アクティブ波長板５０を構成する第三部材５０Ｃは、電極などを備える透過性のものとされている。
【００６６】
アクティブ波長板５０を構成する第一部材５０Ａは、第一部材５０Ａ内の液晶分子に電圧が加えられたときに、入射された直線偏光Ｐ波を直線偏光Ｓ波に変化させて出射させるものとされている。しかしながら、第一部材５０Ａ内の液晶分子に電圧が加えられた状態で、直線偏光Ｓ波が第一部材５０Ａに入射されても、偏光状態に変化は生じない。直線偏光Ｓ波は、偏光状態が変えられることなく直線偏光Ｓ波のまま第一部材５０Ａを透過する。また、第一部材５０Ａ内の液晶分子に電圧が加えられていないときには、直線偏光Ｐ波または直線偏光Ｓ波が第一部材５０Ａに入射されても、偏光状態に変化は生じない。この場合、直線偏光Ｐ波または直線偏光Ｓ波は、偏光状態が変えられることなく第一部材５０Ａを透過する。
【００６７】
アクティブ波長板５０を構成する第二部材５０Ｂは、第二部材５０Ｂ内の液晶分子に電圧が加えられたときに、入射された直線偏光Ｓ波を直線偏光Ｐ波に変化させて出射させるものとされている。しかしながら、第二部材５０Ｂ内の液晶分子に電圧が加えられた状態で、直線偏光Ｐ波が第二部材５０Ｂに入射されても、偏光状態に変化は生じない。直線偏光Ｐ波は、偏光状態が変えられることなく直線偏光Ｐ波のまま第二部材５０Ｂを透過する。また、第二部材５０Ｂ内の液晶分子に電圧が加えられていないときには、直線偏光Ｓ波または直線偏光Ｐ波が第二部材５０Ｂに入射されても、偏光状態に変化は生じない。この
場合、直線偏光Ｓ波または直線偏光Ｐ波は、偏光状態が変えられることなく第二部材５０Ｂを透過する。
【００６８】
Blu-ray Disc規格の光ディスク１００に対して第一波長のレーザ光を照射させるときには、アクティブ波長板５０の第一部材５０Ａと、アクティブ波長板５０の第二部材５０Ｂとに電圧が加えられる。アクティブ波長板５０の第一部材５０Ａに入射された直線偏光Ｐ波の第一波長レーザ光は、印加状態の第一部材５０Ａを透過することで、直線偏光Ｓ波の第一波長レーザ光となる。次に、印加状態の第一部材５０Ａから出射された直線偏光Ｓ波の第一波長レーザ光は、アクティブ波長板５０の第三部材５０Ｃを通り抜け、印加状態の第二部材５０Ｂに入射される。アクティブ波長板５０の第二部材５０Ｂに入射された直線偏光Ｓ波の第一波長レーザ光は、印加状態の第二部材５０Ｂを透過することで、再び直線偏光Ｐ波の第一波長レーザ光となる。
【００６９】
すなわち、アクティブ波長板５０に入射されたＰ波の第一波長レーザ光は、偏光状態が変えられることなくＰ波の第一波長レーザ光としてアクティブ波長板５０から出射される。アクティブ波長板５０を透過したＰ波の第一波長レーザ光は、ダイクロイックミラー５１に達する。
【００７０】
ダイクロイックミラー５１におけるアクティブ波長板５０側もしくは受光素子５９側を、ダイクロイックミラー５１の表面側とする。また、ダイクロイックミラー５１におけるエキスパンダレンズ５３，５４側もしくはＣＤ／ＤＶＤ用反射性ミラー４６側を、ダイクロイックミラー５１の裏面側とする。この明細書におけるダイクロイックミラー５１の「表」、「裏」の定義は、ダイクロイックミラー５１が備えられたＯＰＵ１を説明するための便宜上の定義とされる。
【００７１】
ダイクロイックミラー５１の表側の表面５１ａに、反射防止膜５１ｆａが設けられている。ミラー５１の表面５１ａに反射防止膜５１ｆａを形成させる場合、例えば、ＡＲコーティング（Anti Refledion Coating）により、反射防止膜５１ｆａをミラー５１の表面５１ａに形成させる。ミラー５１の表面５１ａに、例えば、フッ化マグネシウム（ＭｇＦ２）などを真空蒸着させて、透明な薄膜５１ｆａを形成させる。透明な薄膜５１ｆａを形成させて光の干渉を利用することで他の光などを打ち消す。
【００７２】
例えば、他の光がダイクロイックミラー５１の表面５１ａに向けて当てられると、ダイクロイックミラー５１の表面５１ａに設けられた膜５１ｆａの表面で反射する光と、ダイクロイックミラー５１の表面５１ａに設けられた膜５１ｆａを透過して膜５１ｆａの奥で反射する光とに分けられる。膜５１ｆａの表面で反射する光と、膜５１ｆａを透過して膜５１ｆａの奥で反射する光とは、１／２波長ずれた逆位相となる。そのため、膜５１ｆａの表面で反射する光と、膜５１ｆａを透過して膜５１ｆａの奥で反射する光とは、打ち消しあう。反射防止膜５１ｆａが設けられたダイクロイックミラー５１の表側面５１ａは、平滑な光沢面として形成されている。
【００７３】
アクティブ波長板５０側からダイクロイックミラー５１の表側面５１ａにＰ波の第一波長レーザ光が照射されたときに、Ｐ波の第一波長レーザ光は、ダイクロイックミラー５１の表側面５１ａからダイクロイックミラー５１の内部５１ｎに入りダイクロイックミラー５１の裏側面５１ｂに向けて進む。ダイクロイックミラー５１の表側面５１ａに、波長約３９０〜４２０ｎｍの青紫色をした第一波長レーザ光の反射を防止する反射防止膜５１ｆａが設けられている。大部分のＰ波の第一波長レーザ光は、ダイクロイックミラー５１の裏側面５１ｂからビームエキスパンダレンズ５３，５４に向けて出射される。しかしながら、一部のＰ波の第一波長レーザ光は、ダイクロイックミラー５１の裏側面５１ｂの特殊皮膜５１ｆｂにて内部反射され、再びダイクロイックミラー５１の内部５１ｎを進んだの
ちに、ダイクロイックミラー５１の表側面５１ａから出射され受光素子５９に照射される。
【００７４】
ダイクロイックミラー５１の表側面５１ａに入射されるレーザ光の略５〜１５％の光が、受光素子５９に向けて進む。また、ダイクロイックミラー５１の表側面５１ａに入射されるレーザ光の略８５〜９５％の光が、ビームエキスパンダレンズ５３，５４に向けて進む。
【００７５】
ダイクロイックミラー５１の表側面５１ａからレーザ光が入射され、ダイクロイックミラー５１の裏側面５１ｂの特殊皮膜５１ｆｂにレーザ光が当てられたときに、ダイクロイックミラー５１におけるレーザ光の透過量が例えば８５％よりも少ない場合、即ち、ダイクロイックミラー５１におけるレーザ光の反射量が例えば１５％よりも多い場合、光ディスク１００にレーザ光を照射させるための必要な光量が不足する。
【００７６】
ダイクロイックミラー５１の表側面５１ａからレーザ光が入射され、ダイクロイックミラー５１の裏側面５１ｂの特殊皮膜５１ｆｂにレーザ光が当てられたときに、ダイクロイックミラー５１におけるレーザ光の透過量が例えば９５％よりも多い場合、即ち、ダイクロイックミラー５１におけるレーザ光の反射量が例えば５％よりも少ない場合、受光素子５９に必要とされるレーザ光の受光量が不足する。
【００７７】
ダイクロイックミラー５１の表側面５１ａからレーザ光が入射され、ダイクロイックミラー５１の裏側面５１ｂの特殊皮膜５１ｆｂにレーザ光が当てられたときに、ダイクロイックミラー５１におけるレーザ光の透過量が例えば９０％とされた場合、即ち、ダイクロイックミラー５１におけるレーザ光の反射量が例えば１０％とされた場合、光ディスク１００に十分なレーザ光が照射されると共に、受光素子５９に必要とされる適度なレーザ光が照射される。従って、このような特性をもつダイクロイックミラー５１がＯＰＵ１に装備されることが好ましい。
【００７８】
ダイクロイックミラー（Dichroic Mirror ）は、ダイクロイックフィルタを形成する特殊皮膜５１ｆｂを備えて構成されている。ダイクロイックミラー５１の裏側面５１ｂに、波長選択性のダイクロイック皮膜５１ｆｂが形成されている。ダイクロイック（dichroic）とは、二つの色相をもつことを意味する。ダイクロイックミラーは、ダイクロミラー等と略称される。また、ダイクロイックフィルタは、ダイクロフィルタ等と略称される。また、ダイクロイック皮膜は、ダイクロ膜などと略称される。
【００７９】
ダイクロ膜５１ｆｂは、多くの波長約３９０〜４２０ｎｍの「ＨＤ  ＤＶＤ」用もしくは「Blu-ray Disc」用レーザ光（第一波長レーザ光）を透過させ、波長約６３０〜６８５ｎｍのＤＶＤ用レーザ光（第二波長レーザ光）を反射させ、波長約７７０〜８３０ｎｍのＣＤ用レーザ光（第三波長レーザ光）を反射させる。ダイクロイックミラー５１は、大部分の波長３９０〜４２０ｎｍの第一波長レーザ光を透過させ、一部の波長３９０〜４２０ｎｍの第一波長レーザ光を内部反射させるものとして形成されている。
【００８０】
ダイクロ膜５１ｆｂが設けられたダイクロイックミラー５１の裏側面５１ｂは、平滑な光沢面として形成されている。表面５１ｂに特殊な膜５１ｆｂが設けられたダイクロイックミラー５１として、例えば、タムロン社製：ダイクロイック・ミラーなどが挙げられる。
【００８１】
受光素子は、レーザ光の一部が照射されるフロントモニタダイオードとして構成されている。フロントモニタダイオード（Front Monitor Diode ）は、「ＦＭＤ」と略称される。ＦＭＤは、ＬＤから出力されるレーザ光をモニタして、ＬＤの制御のためにフィードバ
ックをかけるものとされている。
【００８２】
ダイクロイックミラー５１を透過したＰ波の第一波長レーザ光は、凹レンズ型ビームエキスパンダレンズ５３および凸レンズ型ビームエキスパンダレンズ５４を透過する。ビームエキスパンダレンズは、レーザ光を必要な大きさに変える可動のものとされている。例えば、固定側の凹レンズ型ビームエキスパンダレンズ５３に対し、可動モータ（図示せず）が用いられて、凸レンズ型ビームエキスパンダレンズ５４がビームエキスパンダレンズ５３，５４の光軸方向に沿って移動することで、レーザ光が必要な大きさに可変される。
【００８３】
Blu-ray Disc規格の光ディスク１００にデータの記録が行われたり、Blu-ray Disc規格の光ディスク１００に記録されたデータが再生されたりするときに、一対のビームエキスパンダレンズ５３，５４は、必要とされる。
【００８４】
例えば、「Blu-ray Disc」用の光ディスク１００の各基板１１０，１２０における厚さ１１０ｔ，１２０ｔと、「ＨＤ  ＤＶＤ」系列の光ディスク２００の各基板２１０，２２０における厚さ２１０ｔ，２２０ｔとは異なる。また、「Blu-ray Disc」用の光ディスク１００と、「ＨＤ  ＤＶＤ」系列の光ディスク２００とでは、フォーカス方向Ｄｆに沿った光軸上において、各光ディスク１００，２００の信号部１５０，２５０に照射形成されるレーザ光のスポットＳｂ，Ｓｄの焦点位置が異なる。また、光ディスク１００に対する第一の対物レンズ６９の作動距離ＷＤｂいわゆるワーキングディスタンスＷＤｂと、光ディスク２００に対する第二の対物レンズ７９の作動距離ＷＤｄいわゆるワーキングディスタンスＷＤｄとが異なる。こうしたことに対応して、高精度な集光スポットＳｂ，Ｓｄが各種光ディスクに照射形成されるために、一対のビームエキスパンダレンズ５３，５４がＯＰＵ１に必要とされる。このように、このＯＰＵ１は、レーザ光を所定の大きさに変える一対のエキスパンダレンズ５３，５４を備えて構成される。ビームエキスパンダレンズ５３，５４を透過したＰ波の第一波長レーザ光は、偏光性ミラー５６に達する。
【００８５】
偏光性ミラー５６におけるビームエキスパンダレンズ５３，５４側もしくは液晶補正素子７０側を偏光性ミラー５６の表面側とする。また、偏光性ミラー５６におけるBlu-ray disc用反射性ミラー６６側を、偏光性ミラー５６の裏面側とする。この明細書における偏光性ミラー５６の「表」、「裏」の定義は、偏光性ミラー５６が備えられたＯＰＵ１を説明するための便宜上の定義とされる。
【００８６】
偏光性ミラー５６の表側面５６ａに、波長約３９０〜４２０ｎｍの青紫色をした「Blu-ray Disc」用の第一波長レーザ光のＰ波を略直進させて透過させ、波長約３９０〜４２０ｎｍの青紫色をした「ＨＤ  ＤＶＤ」用の第一波長レーザ光のＳ波を略直角に反射させる特殊偏光性皮膜５６ｆが設けられている。
【００８７】
従って、Ｐ波の第一波長レーザ光は、偏光性ミラー５６を透過する。ビームエキスパンダレンズ５３，５４側から偏光性ミラー５６の表側面５６ａにＰ波のレーザ光が照射されたときに、Ｐ波のレーザ光は、偏光性ミラー５６の表側面５６ａから偏光性ミラー５６の内部５６ｎを透過し偏光性ミラー５６の裏側面５６ｂから反射性ミラー６６に向けて出射する。ビームエキスパンダレンズ５３，５４側から偏光性ミラー５６の表側面５６ａにＳ波のレーザ光が照射されたときに、Ｓ波のレーザ光は、偏光性ミラー５６の表側面５６ａにおいて略直角に反射され、液晶補正素子７０に向けて進む。
【００８８】
特殊な偏光性皮膜５６ｆが設けられた偏光性ミラー５６の表側面５６ａは、平滑な光沢面として形成されている。また、偏光性ミラー５６の裏側面５６ｂも、平滑な光沢面として形成されている。
【００８９】
なお、偏光性ミラー５６の表側面５６ａに設けられた特殊偏光性皮膜５６ｆに、波長約６３０〜６８５ｎｍのＤＶＤ用レーザ光（第二波長レーザ光）、又は、波長約７７０〜８３０ｎｍのＣＤ用レーザ光（第三波長レーザ光）が照射されたときには、ＤＶＤ用レーザ光（第二波長レーザ光）またはＣＤ用レーザ光（第三波長レーザ光）は反射される。偏光性ミラー５６の表側面５６ａに設けられた特殊偏光性皮膜５６ｆは、波長約６３０〜６８５ｎｍのＤＶＤ用レーザ光（第二波長レーザ光）と、波長約７７０〜８３０ｎｍのＣＤ用レーザ光（第三波長レーザ光）とについては、Ｐ波もしくはＳ波に関わりなくレーザ光を反射させるものとされている。表面５６ａに特殊な膜５６ｆが設けられた偏光性ミラー５６として、例えば、タムロン社製：膜付ミラーなどが挙げられる。
【００９０】
偏光性ミラー５６を透過したＰ波の第一波長レーザ光は、Blu-ray Disc用反射性ミラー６６を略直角に反射し、第一の対物レンズ６９を通り抜ける。Blu-ray Disc用反射性ミラー６６に、レーザ光を略全反射させる皮膜６６ｆが設けられている。従って、Blu-ray Disc用反射性ミラー６６に当てられたレーザ光は、略全反射される。
【００９１】
対物レンズは、ＬＤから出射されたレーザ光を光ディスク上に集光させる役割を果たす。対物レンズ（Objective Lens）は、「ＯＢＬ」と略称されている。第一のＯＢＬ６９によって集光されたＰ波の第一波長レーザ光は、Blu-ray Disc規格の光ディスク１００の信号部１５０に照射される。
【００９２】
光ディスク１００に対し、レンズホルダ（図示せず）に装備された第一のＯＢＬ６９のフォーカスサーボが行われるときに、第一のＯＢＬ６９を備えるレンズホルダは、フォーカス方向Ｄｆに沿って動かされる。また、光ディスク１００に対し、不図示のレンズホルダに装備された第一のＯＢＬ６９のトラッキングサーボが行われるときに、第一のＯＢＬ６９を備えるレンズホルダは、トラッキング方向Ｄｔに沿って動かされる。また、光ディスク１００に対し、レンズホルダに装備された第一のＯＢＬ６９のチルト制御が行われるときに、第一のＯＢＬ６９を備えるレンズホルダは、揺動される。第一のＯＢＬ６９が装備されたレンズホルダは、複数本のワイヤ（図示せず）が用いられて駆動される。また、第一のＯＢＬ６９に隣接して、第二のＯＢＬ７９が不図示のレンズホルダに装備される。
【００９３】
偏光性ミラー５６の表側面５６ａから入射し偏光性ミラー５６の裏側面５６ｂから出射した第一波長のレーザ光は、Blu-ray Disc用反射性ミラー６６にて略直角に反射されたのちに、第一のＯＢＬ６９により、Blu-ray Disc規格の光ディスク１００の信号部１５０に集光される。Ｐ波の第一波長のレーザ光は、このように往路をたどり、Blu-ray Disc規格の光ディスク１００に集光される。
【００９４】
次に、「Blu-ray Disc」規格の光ディスク１００に対し反射したＰ波の第一波長レーザ光の復路について説明する。「Blu-ray Disc」規格の光ディスク１００の信号部１５０を反射したＰ波の第一波長レーザ光は、第一のＯＢＬ６９を透過し、第三の反射性ミラー６６において略直角に反射する。ここでは、Blu-ray Disc用反射性ミラー６６を、例えば、第三の反射性ミラー６６と呼ぶ。第三反射性ミラー６６において略直角に反射したＰ波の第一波長レーザ光は、偏光性ミラー５６内を略直進して通り抜け、凸レンズ型ビームエキスパンダレンズ５４および凹レンズ型ビームエキスパンダレンズ５３を透過してダイクロイックミラー５１に達する。
【００９５】
ビームエキスパンダレンズ５３，５４側からダイクロイックミラー５１の裏側面５１ｂに、Ｐ波の第一波長レーザ光が照射されたときに、大部分のＰ波の第一波長レーザ光は、ダイクロイックミラー５１の内部５１ｎを透過しダイクロイックミラー５１の表側面５１ａから出射される。
【００９６】
復路のＰ波の第一波長レーザ光は、ダイクロイックミラー５１内を略直進して通り抜け、アクティブ波長板５０に達する。復路の直線偏光Ｐ波の第一波長レーザ光は、先ず、アクティブ波長板５０を構成する印加状態の第二部材５０Ｂに入射される。第二部材５０Ｂは、この中の液晶分子に電圧が加えられた状態で直線偏光Ｐ波が入射されても、偏光状態を変化させないものとされている。従って、復路の第一波長レーザ光は、直線偏光Ｐ波のままアクティブ波長板５０の第二部材５０Ｂを通り抜ける。
【００９７】
次に、復路の直線偏光Ｐ波の第一波長レーザ光は、アクティブ波長板５０の第三部材５０Ｃを通り抜けて、アクティブ波長板５０を構成する印加状態の第一部材５０Ａに入射される。アクティブ波長板５０の第一部材５０Ａは、第一部材５０Ａ内の液晶分子に電圧が加えられたときに、入射された直線偏光Ｐ波を直線偏光Ｓ波に変化させて出射させるものとされている。従って、アクティブ波長板５０の第一部材５０Ａに入射された復路の直線偏光Ｐ波の第一波長レーザ光は、直線偏光Ｓ波のレーザ光に変えられてアクティブ波長板５０の第一部材５０Ａから出射される。
【００９８】
アクティブ波長板５０から出射された復路のＳ波の第一波長レーザ光は、第一の反射性ミラー１６に当てられる。第一の反射性ミラー１６を略直角に反射した復路のＳ波の第一波長レーザ光は、第一のＣＬ１５を透過し第一のＰＢＳ１３に達する。復路のＳ波の第一波長レーザ光は、第一のＰＢＳ１３内を略直角に屈折して通り抜け、「Blu-ray Disc」用もしくは「ＨＤ  ＤＶＤ」用の第一のセンサレンズ１８に達する。
【００９９】
復路の第一波長レーザ光は、「Blu-ray Disc」用もしくは「ＨＤ  ＤＶＤ」用の第一のセンサレンズ１８を通り抜ける。センサレンズは、レーザ光の非点収差を発生させるものとされている。収差とは、例えばレンズなどを通る光線が正しく一点に集められず、不完全な像ができることを意味する。また、非点収差とは、ピント位置の差を意味する。センサレンズは、パワーレンズや、アナモフィックレンズ（アナモレンズ）と呼ばれることもある。
【０１００】
第一のセンサレンズ１８を透過した復路の第一波長レーザ光は、「Blu-ray Disc」用もしくは「ＨＤ  ＤＶＤ」用の第一のＰＤＩＣ１９に当てられる。ＰＤＩＣは、光ディスクから反射されたレーザ光を受けて、その信号を電気信号に変えて、光ピックアップ装置を構成するＯＢＬ付レンズホルダ（図示せず）のサーボ機構（図示せず）を動作させるための光検出器とされている。光検出器（Photo Detector／Photo Diode IC）は、例えば「ＰＤ」または「ＰＤＩＣ」と略称される。
【０１０１】
次に、第一のＬＤ１０から出射されたレーザ光が、「ＨＤ  ＤＶＤ」規格の光ディスク２００に照射されるまでの光路について説明する。不図示のＬＤＤから第一のＬＤ１０に電流が供給され、第一のＬＤ１０から出射された波長３９０〜４２０ｎｍの青紫色レーザ光により、「ＨＤ  ＤＶＤ」規格の光ディスク２００に情報の記録が行われたり、「ＨＤ
ＤＶＤ」規格の光ディスク２００に記録された情報が再生されたりする。
【０１０２】
第一のＬＤ１０から出力された第一波長のレーザ光は、「ＨＤ  ＤＶＤ」用もしくは「Blu-ray Disc」用の第一の往路用ＤＯＥ１２を通り抜ける。第一波長のレーザ光が第一の往路用ＤＯＥ１２を透過したときに、第一波長のレーザ光は直線偏光Ｐ波となる。第一の往路用ＤＯＥ１２を透過した直線偏光Ｐ波の第一波長レーザ光は、第一のＰＢＳ１３内を略直進して通り抜ける。第一のＰＢＳ１３内を略直進して透過した第一波長のレーザ光は、「ＨＤ  ＤＶＤ」用もしくは「Blu-ray Disc」用の第一のＣＬ１５を通り抜ける。第一のＣＬ１５を透過して平行光となった第一波長のレーザ光は、第一波長光反射用の第一反射性ミラー１６に当てられる。第一の反射性ミラー１６に当てられた第一波長のレーザ光は、略直角に反射され、アクティブ波長板５０を通り抜ける。
【０１０３】
「ＨＤ  ＤＶＤ」規格の光ディスク２００に対して第一波長のレーザ光を照射させるときには、アクティブ波長板５０の第一部材５０Ａに電圧が加えられる。しかしながら、そのときに、アクティブ波長板５０の第二部材５０Ｂには、電圧が加えられない。アクティブ波長板５０の第一部材５０Ａに入射された直線偏光Ｐ波の第一波長レーザ光は、印加状態の第一部材５０Ａを透過することで、直線偏光Ｓ波の第一波長レーザ光となる。次に、印加状態の第一部材５０Ａを通り抜けた直線偏光Ｓ波の第一波長レーザ光は、アクティブ波長板５０の第三部材５０Ｃを通り抜けて、アクティブ波長板５０の第二部材５０Ｂに入射される。アクティブ波長板５０の第二部材５０Ｂは、印加されていないので、アクティブ波長板５０の第二部材５０Ｂに入射された直線偏光Ｓ波の第一波長レーザ光は、偏光状態が変えられることなく、直線偏光Ｓ波のレーザ光のままでアクティブ波長板５０の第二部材５０Ｂから出射される。
【０１０４】
すなわち、アクティブ波長板５０に入射されたＰ波の第一波長レーザ光は、Ｓ波の第一波長レーザ光に偏光されてアクティブ波長板５０から出射される。アクティブ波長板５０を透過しＳ波となった第一波長レーザ光は、ダイクロイックミラー５１に達する。
【０１０５】
アクティブ波長板５０側からダイクロイックミラー５１の表側面５１ａにＳ波の第一波長レーザ光が照射されたときに、Ｓ波の第一波長レーザ光は、ダイクロイックミラー５１の表側面５１ａからダイクロイックミラー５１の内部５１ｎに入りダイクロイックミラー５１の裏側面５１ｂに向けて進む。大部分のＳ波の第一波長レーザ光は、ダイクロイックミラー５１の裏側面５１ｂからビームエキスパンダレンズ５３，５４に向けて出射される。しかしながら、一部のＳ波の第一波長レーザ光は、ダイクロイックミラー５１の裏側面５１ｂの特殊皮膜５１ｆｂにて内部反射され、再びダイクロイックミラー５１の内部５１ｎを進んだのちに、ダイクロイックミラー５１の表側面５１ａから出射されＦＭＤ５９に照射される。
【０１０６】
ダイクロイックミラー５１を透過したＳ波の第一波長レーザ光は、凹レンズ型ビームエキスパンダレンズ５３および凸レンズ型ビームエキスパンダレンズ５４に達する。例えば、固定側の凹レンズ型ビームエキスパンダレンズ５３に対し、不図示の可動モータが用いられて、凸レンズ型ビームエキスパンダレンズ５４がビームエキスパンダレンズ５３，５４の光軸方向に沿って動かされることにより、光ディスク２００の厚さの「ばらつき」や、レーザ光の波長の変動や、温度変化により生じる球面収差などに対応して、レーザ光のスポット補正が行われる。即ち、固定側の凹レンズ型ビームエキスパンダレンズ５３に対し、凸レンズ型ビームエキスパンダレンズ５４がビームエキスパンダレンズ５３，５４の光軸方向に沿って動かされることにより、光ディスク２００の信号部２５０に形成されるレーザ光のスポット補正が行われる。球面収差とは、軸から離れた並行光線または軸上の一点から出された単色光が光学系を通ったときに、軸上で一点に集められない光軸上の収差を意味する。
【０１０７】
また、固定側の凹レンズ型ビームエキスパンダレンズ５３に対し、凸レンズ型ビームエキスパンダレンズ５４がビームエキスパンダレンズ５３，５４の光軸方向に沿って動かされることにより、三層の信号面（図示せず）を備える不図示の「ＨＤ  ＤＶＤ」用光ディスクに生じた球面収差や、四層の信号面（図示せず）を備える不図示の「Blu-ray Disc」用光ディスクに生じた球面収差を、最小に補正させることが可能となる。
【０１０８】
ビームエキスパンダレンズ５３，５４は、凹レンズ型ビームエキスパンダレンズ５３もしくは凸レンズ型ビームエキスパンダレンズ５４の何れか一方または両方が、ビームエキスパンダレンズ５３，５４の光軸方向に沿って可動されるものとして構成されている。
【０１０９】
凹レンズ型ビームエキスパンダレンズ５３および凸レンズ型ビームエキスパンダレンズ５４を透過したＳ波の第一波長レーザ光は、偏光性ミラー５６に達する。
【０１１０】
Ｓ波の第一波長レーザ光は、偏光性ミラー５６において略直角に反射され、液晶補正素子７０を通り抜ける。液晶補正素子は、液晶分子を自在にコントロールすることが可能なものとされている。液晶補正素子が用いられることにより、レーザ光が光ディスクに当てられたときに、光ディスクにおけるコマ収差や球面収差などの収差発生が抑えられる。コマ収差とは、光軸から離された物点から斜めに入った光がレンズを通して結像されるときに、点とならずに広がって例えば彗星状に見える現象を意味する。
【０１１１】
このように、このＯＰＵ１は、第一波長レーザ光が光ディスク２００に当てられて、光ディスク２００の信号部２５０に集光スポットＳｄが照射形成されたときに、集光スポットＳｄにコマ収差や球面収差などの収差が発生されることを抑制させる液晶補正素子７０を備えて構成される。液晶補正素子７０は、波長３９０〜４２０ｎｍの「ＨＤ  ＤＶＤ」用の青紫色レーザ光（第一波長レーザ光）に対し有効に働く。
【０１１２】
液晶補正素子７０を透過したＳ波の第一波長レーザ光は、開口制限付広帯域１／４波長板７４を通り抜ける。１／４波長板（Quarter-Wave Plate）は、ＱＷＰと略称される。開口制限付広帯域のＱＷＰ７４は、波長約７７０〜８３０ｎｍのＣＤ用レーザ光（第三波長レーザ光）と、波長約６３０〜６８５ｎｍのＤＶＤ用レーザ光（第二波長レーザ光）とに作用し、波長約３９０〜４２０ｎｍの「ＨＤ  ＤＶＤ」用の青紫色レーザ光（第一波長レーザ光）には作用しない。従って、波長約３９０〜４２０ｎｍの青紫色をしたＳ波の第一波長レーザ光がＱＷＰ７４を通過しても、Ｓ波の第一波長レーザ光に大きな変化は生じない。このように、このＯＰＵ１は、第一波長レーザ光に作用することなく、第二波長レーザ光および／または第三波長レーザ光に作用する開口制限付広帯域ＱＷＰ７４を備えて構成される。
【０１１３】
ＱＷＰ７４を透過したＳ波の第一波長レーザ光は、第二のＯＢＬ７９を通り抜けて、「ＨＤ  ＤＶＤ」規格の光ディスク２００の信号部２５０に照射される。
【０１１４】
光ディスク２００に対し、レンズホルダ（図示せず）に装備された第二のＯＢＬ７９のフォーカスサーボが行われるときに、第二のＯＢＬ７９を備えるレンズホルダは、フォーカス方向Ｄｆに沿って動かされる。また、光ディスク２００に対し、不図示のレンズホルダに装備された第二のＯＢＬ７９のトラッキングサーボが行われるときに、第二のＯＢＬ７９を備えるレンズホルダは、トラッキング方向Ｄｔに沿って動かされる。また、光ディスク２００に対し、レンズホルダに装備された第二のＯＢＬ７９のチルト制御が行われるときに、第二のＯＢＬ７９を備えるレンズホルダは、揺動される。第二のＯＢＬ７９が装備されたレンズホルダは、複数本のワイヤ（図示せず）が用いられて駆動される。
【０１１５】
偏光性ミラー５６の表側面５６ａに当てられて反射された第一波長のレーザ光は、液晶補正素子７０と、ＱＷＰ７４とを透過したのちに、第二のＯＢＬ７９により、「ＨＤ  ＤＶＤ」規格の光ディスク２００の信号部２５０に集光される。Ｓ波の第一波長のレーザ光は、このように往路をたどり、「ＨＤ  ＤＶＤ」規格の光ディスク２００に集光される。
【０１１６】
次に、「ＨＤ  ＤＶＤ」規格の光ディスク２００に対し反射したＳ波の第一波長レーザ光の復路について説明する。「ＨＤ  ＤＶＤ」規格の光ディスク２００の信号部２５０を反射したＳ波の第一波長レーザ光は、第二のＯＢＬ７９を透過し、ＱＷＰ７４を透過し、液晶補正素子７０を透過し、偏光性ミラー５６において略直角に反射し、凸レンズ型ビームエキスパンダレンズ５４および凹レンズ型ビームエキスパンダレンズ５３を透過してダイクロイックミラー５１に達する。
【０１１７】
ビームエキスパンダレンズ５３，５４側からダイクロイックミラー５１の裏側面５１ｂに、Ｓ波の第一波長レーザ光が照射されたときに、大部分のＳ波の第一波長レーザ光は、ダイクロイックミラー５１の内部５１ｎを透過しダイクロイックミラー５１の表側面５１ａから出射される。
【０１１８】
復路のＳ波の第一波長レーザ光は、ダイクロイックミラー５１内を略直進して通り抜け、アクティブ波長板５０に達する。復路の直線偏光Ｓ波の第一波長レーザ光は、先ず、アクティブ波長板５０を構成する第二部材５０Ｂに入射される。「ＨＤ  ＤＶＤ」規格の光ディスク２００に対して第一波長のレーザ光が照射されるときには、アクティブ波長板５０の第二部材５０Ｂには、電圧が加えられていない。従って、復路の第一波長レーザ光は、直線偏光Ｓ波のままアクティブ波長板５０の第二部材５０Ｂを通り抜ける。
【０１１９】
次に、復路の直線偏光Ｓ波の第一波長レーザ光は、アクティブ波長板５０の第三部材５０Ｃを通り抜け、アクティブ波長板５０を構成する印加状態の第一部材５０Ａに入射される。第一部材５０Ａは、この中の液晶分子に電圧が加えられた状態で直線偏光Ｓ波が入射されても、偏光状態を変化させないものとされている。従って、復路の直線偏光Ｓ波の第一波長レーザ光は、偏光状態が変えられることなく直線偏光Ｓ波のままでアクティブ波長板５０の第一部材５０Ａから出射される。
【０１２０】
アクティブ波長板５０から出射された復路のＳ波の第一波長レーザ光は、第一の反射性ミラー１６に当てられる。第一の反射性ミラー１６を略直角に反射した復路のＳ波の第一波長レーザ光は、第一のＣＬ１５を透過し第一のＰＢＳ１３に達する。復路のＳ波の第一波長レーザ光は、第一のＰＢＳ１３内を略直角に屈折して通り抜け、「Blu-ray Disc」用もしくは「ＨＤ  ＤＶＤ」用の第一のセンサレンズ１８に達する。復路の第一波長レーザ光は、「Blu-ray Disc」用もしくは「ＨＤ  ＤＶＤ」用の第一のセンサレンズ１８を通り抜け、「Blu-ray Disc」用もしくは「ＨＤ  ＤＶＤ」用の第一のＰＤＩＣ１９に当てられる。
【０１２１】
次に、第二の発光素子２０から出射されるレーザの光路について説明する。上記ＬＤＤから第二の発光素子２０へ電流が流されて、第二の発光素子２０から第二波長のレーザ光が出力される。詳しく説明すると、上記ＬＤＤからＤＶＤ用発光素子２０へ電流が流されて、ＤＶＤ用発光素子２０からＤＶＤ系ディスクに対応した波長のレーザ光が出力される。第二の発光素子２０は、例えば波長が約６３０〜６８５ｎｍ、基準とされる波長が略６３５ｎｍまたは略６５０ｎｍの赤色レーザ光を出射可能なＤＶＤ用レーザダイオードである。
【０１２２】
ＬＤＤから第二のＬＤ２０に電流が供給され、第二のＬＤ２０から出射された波長６３０〜６８５ｎｍの赤色レーザ光により、ＤＶＤ規格の光ディスク（２００）に情報の記録が行われたり、ＤＶＤ規格の光ディスク（２００）に記録された情報が再生されたりする。
【０１２３】
第二のＬＤ２０から出力された第二波長のレーザ光は、第二の往路用ＤＯＥ２２を通り抜ける。そのときに、第二波長のレーザ光は直線偏光Ｓ波となる。第二の往路用ＤＯＥ２２を透過した直線偏光Ｓ波の第二波長レーザ光は、第二のＰＢＳ２３に入射される。第二のＰＢＳ２３は、ＰＢＳ２３内において、Ｓ波を略直角に反射させ、Ｐ波を略直進させて透過させるものとして構成されている。
【０１２４】
第二のＰＢＳ２３は、略三角柱状の第一部材２３Ａと、この第一部材２３Ａに合わせられる略三角柱状の第二部材２３Ｂとを備えるものとして構成されている。略三角柱状の第
一部材２３Ａと、略三角柱状の第二部材２３Ｂとが合わせられることで、略立方体形状の第二のＰＢＳ２３が構成される。第二のＰＢＳ２３を構成する第一部材２３Ａと、第二のＰＢＳ２３を構成する第二部材２３Ｂとの間に、特殊な膜２３ｆが設けられている。第二のＰＢＳ２３内に、特殊な膜２３ｆが形成されている。第二のＰＢＳ２３内に、Ｓ波を略直角に反射させ、Ｐ波を略直進させて透過させる特殊皮膜２３ｆが設けられている。
【０１２５】
これにより、第二のＰＢＳ２３に入射されたＳ波のレーザ光は、第二のＰＢＳ２３内において略直角に反射されて第二のＰＢＳ２３内を通り抜け第二のＰＢＳ２３から出射する。また、第二のＰＢＳ２３に入射されたＰ波のレーザ光は、略直進して第二のＰＢＳ２３内を通り抜け第二のＰＢＳ２３から出射する。内部に特殊な膜２３ｆを備えたＰＢＳ２３として、例えば、タムロン社製：ＰＢＳプリズムなどが挙げられる。第二の往路用ＤＯＥ２２を透過した直線偏光Ｓ波の第二波長レーザ光は、ＤＶＤ用の第二のＰＢＳ２３内を略直角に屈折して通り抜ける。
【０１２６】
第二のＰＢＳ２３内を略直角に屈折して通り抜けた第二波長のレーザ光は、ＤＶＤ用もしくはＣＤ用の第三のＰＢＳ３３に達する。第三のＰＢＳ３３に達した第二波長のレーザ光は、第三のＰＢＳ３３内を略直進して通り抜ける。第三のＰＢＳ３３は、ＰＢＳ３３内において、波長約６３０〜６８５ｎｍの第二波長レーザ光を略直進させつつ透過させるものとして構成されている。
【０１２７】
第三のＰＢＳ３３内に、特殊な膜３３ｆが設けられている。この膜３３ｆは、波長が約６３０〜６８５ｎｍのＤＶＤ用レーザ光を透過させる特殊な膜３３ｆとされている。第三のＰＢＳ３３内に特殊な膜３３ｆが設けられていることにより、第三のＰＢＳ３３は、ＣＤ用波長やＤＶＤ用波長によって、異なる特性を発揮する。第三のＰＢＳ３３は、ダイクロイックプリズムとも呼ばれる。また、ダイクロイックプリズムに設けられた膜は、ダイクロ膜などと呼ばれている。
【０１２８】
第三のＰＢＳ３３内を略直進して透過した第二波長のレーザ光は、ＤＶＤ用もしくはＣＤ用の第二のＣＬ４５を通り抜けて、第二波長光または第三波長光反射用の第二反射性ミラー４６に当てられる。第二反射性ミラー４６に、レーザ光を略全反射させる皮膜４６ｆが設けられている。従って、反射性ミラー４６に当てられたレーザ光は、略全反射される。第二の反射性ミラー４６にて反射された第二波長のレーザ光は、ダイクロイックミラー５１に当てられる。
【０１２９】
第二の反射性ミラー４６側からダイクロイックミラー５１の裏側面５１ｂに第二波長のレーザ光が照射されたときに、大部分の第二波長のレーザ光は、ダイクロイックミラー５１の裏側面５１ｂにて反射され、ビームエキスパンダレンズ５３，５４に向けて進む。しかしながら、一部の第二波長のレーザ光は、ダイクロイックミラー５１の裏側面５１ｂからダイクロイックミラー５１の内部５１ｎを透過しダイクロイックミラー５１の表側面５１ａから出射してＦＭＤ５９に照射される。
【０１３０】
ダイクロイックミラー５１は、大部分の波長６３０〜６８５ｎｍの第二波長レーザ光を反射させ、一部の波長６３０〜６８５ｎｍの第二波長レーザ光を透過させるものとして形成されている。
【０１３１】
ダイクロイックミラー５１にて略直角に反射された第二波長のレーザ光は、凹レンズ型ビームエキスパンダレンズ５３および凸レンズ型ビームエキスパンダレンズ５４を透過して偏光性ミラー５６に達する。
【０１３２】
第二波長のレーザ光は、偏光性ミラー５６において略直角に反射され、液晶補正素子７
０を透過し、開口制限付広帯域１／４波長板７４を通り抜ける。１／４波長板７４は、ＤＶＤ記録系のＯＰＵ１に必要なものとされている。
【０１３３】
１／４波長板は、直線偏光を円偏光に変えたり、円偏光を直線偏光に変えたりする。直線偏光が円偏光にされ、１／４波長板と、光ディスクとの間のレーザ光が円偏光とされることで、例えば光ディクスが粗悪なものとされていても、光ディスクに対するデータの記録／再生動作は正常に行われる。また、直線偏光が円偏光にされ、１／４波長板と、光ディスクとの間のレーザ光が円偏光とされることで、光ディスクに対し、データの書込み／再生が行われるときの特性が向上する。１／４波長板は、１／４λ板とも呼ばれる。なお、ＯＰＵの機種などにより、光路に１／４波長板が介在されていないＯＰＵ（図示せず）もある。
【０１３４】
また、開口制限付広帯域１／４波長板７４は、波長約６３０〜６８５ｎｍのＤＶＤ用レーザ光（第二波長レーザ光）を透過させ、波長約７７０〜８３０ｎｍのＣＤ用レーザ光（第三波長レーザ光）をマスクするものとされている。例えば、ＤＶＤ用の波長約６３０〜６８５ｎｍの赤色をした第二波長レーザ光が開口制限付広帯域１／４波長板７４を通り抜けるときに、第二波長レーザ光の位相補正は行われない。開口制限付広帯域１／４波長板７４を透過した第二波長レーザ光は、開口数略０．６のＯＢＬ７９により絞り込まれる。開口数とは、光学器械で対物レンズの有効半径（入射ひとみの半径）を物点から見る角の正弦と、入射側の媒質の屈折率との積をいう。開口数（Numerical Aperture）は、「ＮＡ」と省略される。開口数は、対物レンズの性能を表すときに用いられる。
【０１３５】
開口制限付広帯域１／４波長板７４を透過した直線偏光Ｓ波の第二波長レーザ光は、円偏光となる。直線偏光Ｓ波の第二波長レーザ光は、開口制限付広帯域１／４波長板７４において、例えば右旋回の円偏光になる。ここでは、円偏光が右旋回された状態のものを、例えば正転状態の円偏光と呼ぶ。右旋回の円偏光となった第二波長のレーザ光は、第二のＯＢＬ７９を通り抜けて、ＤＶＤ規格の光ディスク（２００）の信号部（２５０）に照射される。偏光性ミラー５６の表側面５６ａに当てられて反射された第二波長のレーザ光は、液晶補正素子７０を透過し、開口制限付広帯域１／４波長板７４を通り抜けて右旋回の円偏光となり、第二のＯＢＬ７９により、ＤＶＤ規格の光ディスク（２００）の信号部（２５０）に集光される。第二波長のレーザ光は、このように往路をたどり、ＤＶＤ規格の光ディスク（２００）に集光される。
【０１３６】
次に、ＤＶＤ規格の光ディスク（２００）に対し反射した第二波長のレーザ光の復路について説明する。第二波長レーザ光がＤＶＤ規格の光ディスク（２００）から反射されるときに、右旋回の円偏光の第二波長レーザ光は左旋回の円偏光となる。ここでは、円偏光が左旋回された状態のものを、例えば反転状態の円偏光と呼ぶ。左旋回の円偏光の第二波長レーザ光は、第二のＯＢＬ７９を透過し、開口制限付広帯域１／４波長板７４を通り抜ける。第二波長レーザ光が開口制限付広帯域１／４波長板７４を透過するときに、左旋回の円偏光の第二波長レーザ光は直線偏光Ｐ波となる。開口制限付広帯域１／４波長板７４を透過した直線偏光Ｐ波の第二波長レーザ光は、液晶補正素子７０を透過し、偏光性ミラー５６において略直角に反射し、凸レンズ型ビームエキスパンダレンズ５４および凹レンズ型ビームエキスパンダレンズ５３を透過してダイクロイックミラー５１に達する。
【０１３７】
ビームエキスパンダレンズ５３，５４側からダイクロイックミラー５１の裏側面５１ｂに第二波長のレーザ光が照射されたときに、大部分の第二波長のレーザ光が第二の反射性ミラー４６に向けて反射される。復路の第二波長のレーザ光は、ダイクロイックミラー５１にて略直角に反射され、第二の反射性ミラー４６に当てられる。
【０１３８】
第二の反射性ミラー４６を反射した復路の直線偏光Ｐ波の第二波長レーザ光は、第二の
ＣＬ４５を透過し第三のＰＢＳ３３内を略直進して通り抜け、さらに第二のＰＢＳ２３内を略直進して通り抜けて、ＤＶＤ用もしくはＣＤ用の第二のセンサレンズ４８に達する。復路の第二波長のレーザ光は、ＤＶＤ用もしくはＣＤ用の第二のセンサレンズ４８を通り抜け、ＤＶＤ用もしくはＣＤ用の第二のＰＤＩＣ４９に当てられる。
【０１３９】
次に、第三の発光素子３０から出射されるレーザの光路について説明する。上記ＬＤＤから第三の発光素子３０へ電流が流されて、第三の発光素子３０から第三波長のレーザ光が出力される。詳しく説明すると、上記ＬＤＤからＣＤ用発光素子３０へ電流が流されて、ＣＤ用発光素子３０からＣＤ系ディスクに対応した波長のレーザ光が出力される。第三の発光素子３０は、例えば波長が約７７０〜８３０ｎｍ、基準とされる波長が略７８０ｎｍのレーザ光を出射可能なＣＤ用レーザダイオードである。
【０１４０】
ＬＤＤから第三のＬＤ３０に電流が供給され、第三のＬＤ３０から出射された波長７７０〜８３０ｎｍのレーザ光により、ＣＤ規格の光ディスクに情報の記録が行われたり、ＣＤ規格の光ディスクに記録された情報が再生されたりする。
【０１４１】
第三のＬＤ３０から出力された第三波長のレーザ光は、先ず、ダイバージェントレンズ３１を通り抜ける。ダイバージェントレンズは、ＬＤから出射されたレーザ光を集めるものとされている。ダイバージェントレンズは、カップリングレンズ、又は中間レンズなどと呼ばれて、取り扱われることもある。
【０１４２】
ダイバージェントレンズ３１を透過した第三波長のレーザ光は、第三の往路用ＤＯＥ３２を通り抜ける。そのときに、第三波長のレーザ光は直線偏光Ｓ波となる。第三の往路用ＤＯＥ３２を透過した直線偏光Ｓ波の第三波長レーザ光は、第三のＰＢＳ３３に入射される。
【０１４３】
第三の往路用ＤＯＥ３２を透過した直線偏光Ｓ波の第三波長レーザ光は、ＤＶＤ用もしくはＣＤ用の第三のＰＢＳ３３に達する。第三波長のレーザ光は、第三のＰＢＳ３３内を略直角に屈折して通り抜ける。第三のＰＢＳ３３は、ＰＢＳ３３内において、Ｓ波を略直角に反射させ、Ｐ波を略直進させて透過させるものとして構成されている。また、第三のＰＢＳ３３は、ＣＤ用の第三波長のレーザ光や、ＤＶＤ用の第二波長のレーザ光により、異なる特性をもつものとされている。
【０１４４】
第三のＰＢＳ３３は、略三角柱状の第一部材３３Ａと、この第一部材３３Ａに合わせられる略三角柱状の第二部材３３Ｂとを備えるものとして構成されている。略三角柱状の第一部材３３Ａと、略三角柱状の第二部材３３Ｂとが合わせられることで、略立方体形状の第三のＰＢＳ３３が構成される。第三のＰＢＳ３３を構成する第一部材３３Ａと、第三のＰＢＳ３３を構成する第二部材３３Ｂとの間に、特殊な膜３３ｆが設けられている。第三のＰＢＳ３３内に、ダイクロ膜３３ｆが形成されている。第三のＰＢＳ３３内に、第三波長光のＳ波を略直角に反射させ、第三波長光のＰ波を略直進させて透過させるダイクロ皮膜３３ｆが設けられている。第三のＰＢＳ３３は、ＰＢＳ３３内において、第三波長光のＳ波を略直角に反射させ、第三波長光のＰ波を略直進させて透過させるものとして構成されている。
【０１４５】
これにより、第三のＰＢＳ３３に入射された第三波長のＳ波のレーザ光は、第三のＰＢＳ３３内において略直角に反射されて第三のＰＢＳ３３内を通り抜け第三のＰＢＳ３３から出射する。また、第三のＰＢＳ３３に入射された第三波長のＰ波のレーザ光は、略直進して第三のＰＢＳ３３内を通り抜け第三のＰＢＳ３３から出射する。内部にダイクロ膜３３ｆを備えたＰＢＳ３３として、例えば、タムロン社製：ダイクロイック・プリズムなどが挙げられる。第三の往路用ＤＯＥ３２を透過した直線偏光Ｓ波の第三波長レーザ光は、
ＤＶＤ用およびＣＤ用の第三のＰＢＳ３３内を略直角に屈折して通り抜ける。
【０１４６】
上記ダイクロ膜３３ｆ，５１ｆｂ、上記偏光性皮膜５６ｆなどの特殊な膜は、例えば、真空蒸着法、スパッタリング法などに基づいて、所望の面に形成される。また、上記ダイクロ膜３３ｆ，５１ｆｂ、上記偏光性皮膜５６ｆなどの特殊な膜は、例えば、ＳｉＯ２，ＺｎＯ２，ＴｉＯ２およびＴｉ２Ｏ５からなる群から選ばれる少なくとも一種以上の物質を含有する層として構成されている。具体的に説明すると、上記各ダイクロ膜３３ｆ，５１ｆｂ、上記偏光性皮膜５６ｆは、ＳｉＯ２，ＺｎＯ２，ＴｉＯ２およびＴｉ２Ｏ５からなる群から選択される少なくとも一種以上の物質を含有する薄層として構成されている。
【０１４７】
第三のＰＢＳ３３内を略直角に屈折して通り抜けた第三波長のレーザ光は、ＤＶＤ用もしくはＣＤ用の第二のＣＬ４５を通り抜けて、第二波長光または第三波長光反射用の第二反射性ミラー４６に当てられる。第二の反射性ミラー４６にて反射された第三波長のレーザ光は、ダイクロイックミラー５１に当てられる。
【０１４８】
第二の反射性ミラー４６側からダイクロイックミラー５１の裏側面５１ｂに第三波長のレーザ光が照射されたときに、大部分の第三波長のレーザ光は、ダイクロイックミラー５１の裏側面５１ｂにて反射され、ビームエキスパンダレンズ５３，５４に向けて進む。しかしながら、一部の第三波長のレーザ光は、ダイクロイックミラー５１の裏側面５１ｂからダイクロイックミラー５１の内部５１ｎを透過しダイクロイックミラー５１の表側面５１ａから出射してＦＭＤ５９に照射される。
【０１４９】
ダイクロイックミラー５１は、大部分の波長７７０〜８３０ｎｍの第三波長レーザ光を反射させ、一部の波長７７０〜８３０ｎｍの第三波長レーザ光を透過させるものとして形成されている。
【０１５０】
ダイクロイックミラー５１にて略直角に反射された第三波長のレーザ光は、凹レンズ型ビームエキスパンダレンズ５３および凸レンズ型ビームエキスパンダレンズ５４を透過して偏光性ミラー５６に達する。
【０１５１】
第三波長のレーザ光は、偏光性ミラー５６において略直角に反射され、液晶補正素子７０を透過し、開口制限付広帯域１／４波長板７４を通り抜ける。ＣＤ用の波長約７７０〜８３０ｎｍの第三波長レーザ光が、開口制限付広帯域１／４波長板７４を通り抜けるときに、第三波長レーザ光の位相補正が行われる。第三波長レーザ光が開口制限付広帯域１／４波長板７４を通過するときに、第三波長レーザ光は、マスクされた状態でＯＢＬ７９に入り、ＯＢＬ７９により絞り込まれる。これにより、第三波長レーザ光は、開口数略０．４５のＯＢＬ（図示せず）により絞り込まれるのと同じ状態で、ＯＢＬ７９により絞り込まれる。ＯＢＬ７９の実際の開口数は、略０．６とされているが、光路に開口制限付広帯域１／４波長板７４が設けられていれば、第三波長レーザ光は、マスクされた状態でＯＢＬ７９に入るので、開口数略０．４５のＯＢＬ（図示せず）が用いられて絞り込まれるのと同じ状態で、ＣＤ用光ディスクに集光される。開口制限付広帯域１／４波長板７４が光路中に装備されることにより、開口数略０．６の一つのＯＢＬ７９が用いられていても、ＯＢＬ７９は、例えば開口数約０．３７〜０．９５、実質的に開口数略０．４５〜０．６５として機能する。なお、Blu-ray Disc用の第一ＯＢＬ６９の開口数は、略０．８５とされている。
【０１５２】
開口制限付広帯域１／４波長板７４を透過した直線偏光Ｓ波の第三波長レーザ光は、円偏光となる。直線偏光Ｓ波の第三波長レーザ光は、開口制限付広帯域１／４波長板７４において、例えば右旋回の円偏光になる。右旋回の円偏光となった第三波長のレーザ光は、第二のＯＢＬ７９を通り抜けて、ＣＤ規格の光ディスク（図示せず）の信号部（図示せず
）に照射される。偏光性ミラー５６の表側面５６ａに当てられて反射された第三波長のレーザ光は、液晶補正素子７０を透過し、開口制限付広帯域１／４波長板７４を通り抜けて右旋回の円偏光となり、第二のＯＢＬ７９により、ＣＤ規格の光ディスクの信号部に集光される。第三波長のレーザ光は、このように往路をたどり、ＣＤ規格の光ディスクに集光される。
【０１５３】
次に、ＣＤ規格の光ディスクに対し反射した第三波長のレーザ光の復路について説明する。第三波長レーザ光がＣＤ規格の光ディスクから反射されるときに、右旋回の円偏光の第三波長レーザ光は左旋回の円偏光となる。左旋回の円偏光の第三波長レーザ光は、第二のＯＢＬ７９を透過し、開口制限付広帯域１／４波長板７４を通り抜ける。第三波長レーザ光が開口制限付広帯域１／４波長板７４を透過するときに、左旋回の円偏光の第三波長レーザ光は直線偏光Ｐ波となる。開口制限付広帯域１／４波長板７４を透過した直線偏光Ｐ波の第三波長レーザ光は、液晶補正素子７０を透過し、偏光性ミラー５６において略直角に反射し、凸レンズ型ビームエキスパンダレンズ５４および凹レンズ型ビームエキスパンダレンズ５３を透過してダイクロイックミラー５１に達する。
【０１５４】
ビームエキスパンダレンズ５３，５４側からダイクロイックミラー５１の裏側面５１ｂに第三波長のレーザ光が照射されたときに、大部分の第三波長のレーザ光が第二の反射性ミラー４６に向けて反射される。復路の第三波長のレーザ光は、ダイクロイックミラー５１にて略直角に反射され、第二の反射性ミラー４６に当てられる。
【０１５５】
第二の反射性ミラー４６を反射した復路の直線偏光Ｐ波の第三波長レーザ光は、第二のＣＬ４５を透過し第三のＰＢＳ３３内を略直進して通り抜け、さらに第二のＰＢＳ２３内を略直進して通り抜けて、ＤＶＤ用もしくはＣＤ用の第二のセンサレンズ４８に達する。復路の第三波長のレーザ光は、ＤＶＤ用もしくはＣＤ用の第二のセンサレンズ４８を通り抜け、ＤＶＤ用もしくはＣＤ用の第二のＰＤＩＣ４９に当てられる。
【０１５６】
上記ＬＤ１０，２０，３０、ＰＤＩＣ１９，４９、アクティブ波長板５０、ＦＭＤ５９、液晶補正素子７０などは、フレキシブルプリント回路体（図示せず）などのフレキシブル基板（図示せず）に通電可能に接続されている。フレキシブルプリント回路体（Flexible Printed Circuit）は、「ＦＰＣ」と略称される。ＦＰＣは、複数の回路導体（図示せず）が絶縁シート（図示せず）に印刷されて、例えば銅箔などの金属箔（図示せず）が絶縁シートに並設され、その上に透明もしくは半透明の保護層（図示せず）が設けられて構成される。
【０１５７】
ＯＰＵ１は、上記各種のものを備えて構成される。上記各種のものは、ハウジング（図示せず）に装備される。ハウジングなどを備えるＯＰＵ１は、図示されたもの以外に、他のもの（図示せず）も備えるものとされているが、図１においては、便宜上、それらの他のものを省略した。
【０１５８】
図１の如く、このＯＰＵ１は、第一波長のレーザ光を出射可能な第一のＬＤ１０と、第一のＬＤ１０から出射される第一波長のレーザ光と異なる波長とされた第二波長のレーザ光を出射可能な第二のＬＤ２０と、第一のＬＤ１０から出射される第一波長のレーザ光を透過または反射させ、第二のＬＤ２０から出射される第二波長のレーザ光を反射させる偏光ミラー５６と、第一波長のレーザ光を第一メディア１００上に集光させる第一のＯＢＬ６９と、第一波長のレーザ光または第二波長のレーザ光を第二メディア２００上に集光させる第二のＯＢＬ７９とを、少なくとも備えるものとして構成されている。
【０１５９】
このようにＯＰＵ１が構成されていれば、第一メディア１００の規格と、第二メディア２００の規格とが異なる規格とされていても、第一メディア１００と、第二メディア２０
０とに対応したＯＰＵ１の提供が可能となる。例えば、第一メディア１００が、従来の規格に非対応とされながら高密度な記録が可能とされた新しい規格のBlu-ray Disc規格のメディアとされ、第二メディア２００が、従来の規格に対応したＤＶＤ規格のメディアとされた場合、全く異なる規格の第一メディア１００および第二メディア２００に対応可能な単一のＯＰＵ１を開発することは困難とされていた。
【０１６０】
これに対応するために、例えば、第一メディア１００に対応する第一のＯＰＵ（図示せず）と、第二メディア２００に対応する第二のＯＰＵ（図示せず）との二つのＯＰＵが用いられる光ディスク装置（図示せず）も考えられた。しかしながら、第一メディア１００に対応する不図示の第一のＯＰＵと、第二メディア２００に対応する不図示の第二のＯＰＵとの複数のＯＰＵが用いられる光ディスク装置は、部品点数が増加することから、大型化されて重量が増え、価格も高価なものとなることが懸念されていた。
【０１６１】
これに対し、第一波長のレーザ光を出射可能な第一のＬＤ１０と、第一のＬＤ１０から出射される第一波長のレーザ光と異なる波長とされた第二波長のレーザ光を出射可能な第二のＬＤ２０と、第一のＬＤ１０から出射される第一波長のレーザ光を透過または反射させ、第二のＬＤ２０から出射される第二波長のレーザ光を反射させる偏光ミラー５６と、第一波長のレーザ光を第一メディア１００上に集光させる第一のＯＢＬ６９と、第一波長のレーザ光または第二波長のレーザ光を第二メディア２００上に集光させる第二のＯＢＬ７９とを少なくとも備えるＯＰＵ１が構成されていれば、一つのＯＰＵ１で、新しい高密度記録規格とされるBlu-ray Disc規格の第一メディア１００と、第一メディア１００と全く異なる従来規格とされるＤＶＤ規格に対応の第二メディア２００とに対応可能となる。従って、異なる規格の各メディア１００，２００等に対応したＯＰＵ１を、ＯＰＵ１の組立メーカやＯＰＵ１の使用者等に提供することができる。
【０１６２】
前記ＯＰＵ１は、第一波長のレーザ光を自在に偏光可能な液晶素子５０いわゆるアクティブ波長板５０を備えるものとされている。
【０１６３】
アクティブ波長板５０がＯＰＵ１の光路中に装備されていれば、第一波長のレーザ光は、第一のＯＢＬ６９または第二のＯＢＬ７９に向けて確実に振り分けられる。アクティブ波長板５０を用いて第一波長のレーザ光の偏光状態を変化させることにより、第一波長のレーザ光は、偏光ミラー５６を透過したり反射したりすることとなる。これにより、第一波長のレーザ光は、第一のＯＢＬ６９または第二のＯＢＬ７９に向けて確実に振り分けられる。
【０１６４】
アクティブ波長板５０から出射され偏光ミラー５６を経由する第一波長のレーザ光が直線偏光Ｐ波とされたときに、直線偏光Ｐ波の第一波長レーザ光は、偏光ミラー５６を透過し第一のＯＢＬ６９に達する。
【０１６５】
これにより、直線偏光Ｐ波の第一波長のレーザ光は、偏光ミラー５６を透過して第一のＯＢＬ６９に確実に達する。偏光ミラー５６を経由した第一波長のレーザ光が直線偏光Ｐ波とされることで、第一波長のレーザ光の偏光状態が明確化される。偏光ミラー５６は、直線偏光Ｐ波の第一波長のレーザ光を透過させるものとして形成されている。従って、直線偏光Ｐ波の第一波長のレーザ光は、偏光ミラー５６を確実に透過して、第一のＯＢＬ６９に確実に達する。
【０１６６】
アクティブ波長板５０から出射され偏光ミラー５６を経由する第一波長のレーザ光が直線偏光Ｓ波とされたときに、直線偏光Ｓ波の第一波長レーザ光は、偏光ミラー５６にて反射され第二のＯＢＬ７９に達する。
【０１６７】
これにより、直線偏光Ｓ波の第一波長のレーザ光は、偏光ミラー５６にて反射され第二のＯＢＬ７９に確実に達する。偏光ミラー５６を経由した第一波長のレーザ光が直線偏光Ｓ波とされることで、第一波長のレーザ光の偏光状態が明確化される。偏光ミラー５６は、直線偏光Ｓ波の第一波長のレーザ光を反射させるものとして形成されている。従って、直線偏光Ｓ波の第一波長のレーザ光は、偏光ミラー５６にて確実に反射され、第二のＯＢＬ７９に確実に達する。
【０１６８】
前記ＯＰＵ１は、第一波長のレーザ光と異なる波長とされると共に、第二波長のレーザ光と異なる波長とされる第三波長のレーザ光を出射可能な第三のＬＤ３０を備えるものとされている。
【０１６９】
これにより、ＯＰＵ１は、第三波長のレーザ光に対応しＣＤ規格とされる第三メディアにも対応可能となる。従って、多種のメディアに対応したＯＰＵ１を、ＯＰＵ１の組立メーカやＯＰＵ１の使用者等に提供することができる。
【０１７０】
ＣＤ用の第三波長のレーザ光は、偏光ミラー５６により反射され、第二のＯＢＬ７９により不図示の第三メディアに集光される。
【０１７１】
これにより、ＯＰＵ１は、第三波長のレーザ光に対応したＣＤ系列の第三メディアにも対応可能となる。このＯＰＵ１は、第一波長のレーザ光に対応したBlu-ray Disc規格の第一メディア１００と、第二波長のレーザ光に対応したＤＶＤ規格の第二メディア２００と、第三波長のレーザ光に対応したＣＤ規格の第三メディアとに対応可能となる。従って、Blu-ray Disc規格、ＤＶＤ規格、ＣＤ規格などの異なる規格の各種メディアに対応したＯＰＵ１を、ＯＰＵ１の組立メーカやＯＰＵ１の使用者等に提供することができる。
【０１７２】
次に、図２に示す光ピックアップ装置について説明する。
【実施例２】
【０１７３】
図２は、本発明に係る光ピックアップ装置の第二の実施形態を示す概略図である。
【０１７４】
このＯＰＵ２における集光スポットＳｂ，Ｓｄのフォーカシング検出法は、ナイフエッジ法に基づいた検出法とされている。この明細書におけるナイフエッジ法とは、例えば、ナイフエッジ、回折格子機能を有するＤＯＥ１７，４７等を用いて集光スポットＳｂ，Ｓｄの誤差を検出する方法とされる。このＯＰＵ２は、ナイフエッジ法による光学系を備えたＯＰＵ２とされている。なお、このＯＰＵ２における集光スポットＳｂ，Ｓｄのトラッキング検出法は、上記第一実施例のＯＰＵ１（図１）と同じく、差動プッシュプル法や、位相差法に基づいた検出法とされる。
【０１７５】
図２の如く、第一のＰＢＳ１３と、第一のセンサレンズ１８との間の光路に、「Blu-ray Disc」用もしくは「ＨＤ  ＤＶＤ」用の第一の復路用ＤＯＥ１７が装備されている。第一の復路用ＤＯＥ１７は、四分割ホログラム素子などの複数分割ホログラム素子によってナイフエッジが形成されたＤＯＥとされる。このＯＰＵ２は、四分割ホログラム素子によってナイフエッジが形成された第一の復路用ＤＯＥ１７を備えて構成される。
【０１７６】
また、第二のＰＢＳ２３と、第二のセンサレンズ４８との間の光路に、ＤＶＤ用もしくはＣＤ用の第二の復路用ＤＯＥ４７が装備されている。第二の復路用ＤＯＥ４７は、四分割ホログラム素子などの複数分割ホログラム素子によってナイフエッジが形成されたＤＯＥとされる。このＯＰＵ２は、四分割ホログラム素子によってナイフエッジが形成された第二の復路用ＤＯＥ４７を備えて構成される。
【０１７７】
図１に示す第一実施例のＯＰＵ１と、図２に示す第二実施例のＯＰＵ２とは、前記した部分において異なるものとされている。しかしながら、他の部分においては、第一実施例のＯＰＵ１（図１）と、第二実施例のＯＰＵ２（図２）とは、同一のものとされている。図２に示す第二実施例のＯＰＵ２において、図１に示す第一実施例のＯＰＵ１と同一のものについては、同一の符号を付しその詳細な説明を省略した。
【０１７８】
先ず、第一のＬＤ１０（図２）から出射された第一波長レーザ光が、第一のＯＢＬ６９を透過して「Blu-ray Disc」規格の第一メディア１００に照射されると共に反射され、反射された第一波長レーザ光が第一のＰＤＩＣ１９に達するまでの光路について説明する。なお、第一のＬＤ１０から出射された第一波長レーザ光が、第一のＯＢＬ６９を透過して「Blu-ray Disc」規格の第一メディア１００に照射されると共に反射されて第一のＰＢＳ１３まで戻される過程の光路説明や、第一波長レーザ光がＦＭＤ５９に達するまでの光路説明については、上記第一実施例における光路説明と同じとされることから、その詳細な説明を省略した。
【０１７９】
第一のＣＬ１５を透過し第一のＰＢＳ１３に達した復路のＳ波の第一波長レーザ光は、第一のＰＢＳ１３内を略直角に屈折して通り抜け、「Blu-ray Disc」用もしくは「ＨＤ  ＤＶＤ」用の第一の復路用ＤＯＥ１７に達する。第一の復路用ＤＯＥ１７を透過した復路の第一波長レーザ光は、「Blu-ray Disc」用もしくは「ＨＤ  ＤＶＤ」用の第一のセンサレンズ１８を通り抜ける。第一のセンサレンズ１８を透過した復路の第一波長レーザ光は、「Blu-ray Disc」用もしくは「ＨＤ  ＤＶＤ」用の第一のＰＤＩＣ１９に当てられる。
【０１８０】
次に、第一のＬＤ１０から出射された第一波長レーザ光が、第二のＯＢＬ７９を透過して「ＨＤ  ＤＶＤ」規格の第二メディア２００に照射されると共に反射され、反射された第一波長レーザ光が第一のＰＤＩＣ１９に達するまでの光路について説明する。なお、第一のＬＤ１０から出射された第一波長レーザ光が、第二のＯＢＬ７９を透過して「ＨＤ  ＤＶＤ」規格の第二メディア２００に照射されると共に反射されて第一のＰＢＳ１３まで戻される過程の光路説明や、第一波長レーザ光がＦＭＤ５９に達するまでの光路説明については、上記第一実施例における光路説明と同じとされることから、その詳細な説明を省略した。
【０１８１】
第一のＣＬ１５を透過し第一のＰＢＳ１３に達した復路のＳ波の第一波長レーザ光は、第一のＰＢＳ１３内を略直角に屈折して通り抜け、「Blu-ray Disc」用もしくは「ＨＤ  ＤＶＤ」用の第一の復路用ＤＯＥ１７に達する。第一の復路用ＤＯＥ１７を透過した復路の第一波長レーザ光は、「Blu-ray Disc」用もしくは「ＨＤ  ＤＶＤ」用の第一のセンサレンズ１８を通り抜け、「Blu-ray Disc」用もしくは「ＨＤ  ＤＶＤ」用の第一のＰＤＩＣ１９に当てられる。
【０１８２】
次に、第二のＬＤ２０から出射された第二波長レーザ光が、第二のＯＢＬ７９を透過してＤＶＤ規格の第二メディア（２００）に照射されると共に反射され、反射された第二波長レーザ光が第二のＰＤＩＣ４９に達するまでの光路について説明する。なお、第二のＬＤ２０から出射された第二波長レーザ光が、第二のＯＢＬ７９を透過してＤＶＤ規格の第二メディア（２００）に照射されると共に反射されて第二のＰＢＳ２３まで戻される過程の光路説明や、第二波長レーザ光がＦＭＤ５９に達するまでの光路説明については、上記第一実施例における光路説明と同じとされることから、その詳細な説明を省略した。
【０１８３】
第二のＣＬ４５を透過し第三のＰＢＳ３３内を略直進して通り抜けて第二のＰＢＳ２３に達した復路の直線偏光Ｐ波の第二波長レーザ光は、さらに第二のＰＢＳ２３内を略直進して通り抜けて、ＤＶＤ用もしくはＣＤ用の第二の復路用ＤＯＥ４７に達する。第二の復路用ＤＯＥ４７を透過した復路の第二波長のレーザ光は、ＤＶＤ用もしくはＣＤ用の第二
のセンサレンズ４８を通り抜け、ＤＶＤ用もしくはＣＤ用の第二のＰＤＩＣ４９に当てられる。
【０１８４】
次に、第三のＬＤ３０から出射された第三波長レーザ光が、第二のＯＢＬ７９を透過してＣＤ規格の第三メディア（図示せず）に照射されると共に反射され、反射された第三波長レーザ光が第二のＰＤＩＣ４９に達するまでの光路について説明する。なお、第三のＬＤ３０から出射された第三波長レーザ光が、第二のＯＢＬ７９を透過してＣＤ規格の不図示の第三メディアに照射されると共に反射されて第二のＰＢＳ２３まで戻される過程の光路説明や、第三波長レーザ光がＦＭＤ５９に達するまでの光路説明については、上記第一実施例における光路説明と同じとされることから、その詳細な説明を省略した。
【０１８５】
第二のＣＬ４５を透過し第三のＰＢＳ３３内を略直進して通り抜けて第二のＰＢＳ２３に達した復路の直線偏光Ｐ波の第三波長レーザ光は、さらに第二のＰＢＳ２３内を略直進して通り抜けて、ＤＶＤ用もしくはＣＤ用の第二の復路用ＤＯＥ４７に達する。第二の復路用ＤＯＥ４７を透過した復路の第三波長のレーザ光は、ＤＶＤ用もしくはＣＤ用の第二のセンサレンズ４８を通り抜け、ＤＶＤ用もしくはＣＤ用の第二のＰＤＩＣ４９に当てられる。
【０１８６】
次に、図３に示す光ピックアップ装置について説明する。
【実施例３】
【０１８７】
図３は、本発明に係る光ピックアップ装置の第三の実施形態を示す概略図である。
【０１８８】
このＯＰＵ３における集光スポットＳｂ，Ｓｄのフォーカシング検出法は、上記第一実施例のＯＰＵ１（図１）と同じく、差動非点収差法に基づいた検出法とされている。このＯＰＵ３（図３）は、差動非点収差法による光学系を備えたＯＰＵ３とされている。また、このＯＰＵ３における集光スポットＳｂ，Ｓｄのトラッキング検出法は、上記第一実施例のＯＰＵ１（図１）と同じく、差動プッシュプル法や、位相差法に基づいた検出法とされる（図３）。
【０１８９】
図１に示す第二のＬＤ２０および第三のＬＤ３０に代えて、第二のＬＤ２０と第三のＬＤ３０とが一つのものとされた他のＬＤ４０（図３）が、ＯＰＵ３に装備されている。他のＬＤ４０は、波長約６３０〜６８５ｎｍのＤＶＤ用レーザ光と、波長約７７０〜８３０ｎｍのＣＤ用レーザ光とを出射可能なものとされている。他のＬＤ４０は、基準とされる波長が略６３５ｎｍまたは略６５０ｎｍのＤＶＤ用レーザ光と、基準とされる波長が略７８０ｎｍのＣＤ用レーザ光とを出射可能な二波長ＬＤ４０である。図３に示すＯＰＵ３においては、便宜上、他のＬＤ４０が第二のＬＤ４０とされる。
【０１９０】
また、図１に示すダイバージェントレンズ３１は、図３に示すＯＰＵ３において省略されている。
【０１９１】
また、図１に示す第二の往路用ＤＯＥ２２および第三の往路用ＤＯＥ３２に代えて、第二の往路用ＤＯＥ２２と第三の往路用ＤＯＥ３２とが一つのものとされた他の往路用ＤＯＥ４２（図３）が、ＯＰＵ３に装備されている。他の往路用ＤＯＥ４２は、波長約６３０〜６８５ｎｍのＤＶＤ用レーザ光と、波長約７７０〜８３０ｎｍのＣＤ用レーザ光とに対応可能なものとされている。図３に示すＯＰＵ３においては、便宜上、他の往路用ＤＯＥ４２が第二の往路用ＤＯＥ４２とされる。このＤＯＥ４２は、特殊なＤＯＥとして構成されている。
【０１９２】
また、図１に示す第二のＰＢＳ２３および第三のＰＢＳ３３に代えて、第二のＰＢＳ２
３と第三のＰＢＳ３３とが一つのものとされた他のＰＢＳ４３（図３）が、ＯＰＵ３に装備されている。他のＰＢＳ４３は、波長約６３０〜６８５ｎｍのＤＶＤ用レーザ光と、波長約７７０〜８３０ｎｍのＣＤ用レーザ光とに対応可能なものとされている。図３に示すＯＰＵ３においては、便宜上、他のＰＢＳ４３が第二のＰＢＳ４３とされる。
【０１９３】
図１に示す第一実施例のＯＰＵ１と、図３に示す第三実施例のＯＰＵ３とは、前記した部分において異なるものとされている。しかしながら、他の部分においては、第一実施例のＯＰＵ１（図１）と、第三実施例のＯＰＵ３（図３）とは、同一のものとされている。図３に示す第三実施例のＯＰＵ３において、図１に示す第一実施例のＯＰＵ１と同一のものについては、同一の符号を付しその詳細な説明を省略した。
【０１９４】
また、第一のＬＤ１０（図３）から出射された第一波長レーザ光が、第一のＯＢＬ６９を透過して「Blu-ray Disc」規格の第一メディア１００に照射されると共に反射され、反射された第一波長レーザ光が第一のＰＤＩＣ１９に達するまでの光路説明や、第一波長レーザ光がＦＭＤ５９に達するまでの光路説明については、上記第一実施例における光路説明と同じとされることから、その詳細な説明を省略した。
【０１９５】
また、第一のＬＤ１０から出射された第一波長レーザ光が、第二のＯＢＬ７９を透過して「ＨＤ  ＤＶＤ」規格の第二メディア２００に照射されると共に反射され、反射された第一波長レーザ光が第一のＰＤＩＣ１９に達するまでの光路説明や、第一波長レーザ光がＦＭＤ５９に達するまでの光路説明についても、上記第一実施例における光路説明と同じとされることから、その詳細な説明を省略した。
【０１９６】
第二のＬＤ４０から出射された第二波長レーザ光が、第二のＯＢＬ７９を透過してＤＶＤ規格の第二メディア（２００）に照射されると共に反射され、反射された第二波長レーザ光が第二のＰＤＩＣ４９に達するまでの光路について説明する。
【０１９７】
上記ＬＤＤから第二の発光素子４０へ電流が流されて、第二の発光素子４０から第二波長のレーザ光が出力される。詳しく説明すると、上記ＬＤＤからＣＤおよびＤＶＤ用発光素子４０へ電流が流されて、ＣＤおよびＤＶＤ用発光素子４０からＤＶＤ系ディスクに対応した波長のレーザ光が出力される。第二の発光素子４０から、例えば波長が約６３０〜６８５ｎｍ、基準とされる波長が略６３５ｎｍまたは略６５０ｎｍの赤色レーザ光が出射される。
【０１９８】
ＬＤＤから第二のＬＤ４０に電流が供給され、第二のＬＤ４０から出射された波長６３０〜６８５ｎｍの赤色レーザ光により、ＤＶＤ規格の光ディスク（２００）に情報の記録が行われたり、ＤＶＤ規格の光ディスク（２００）に記録された情報が再生されたりする。
【０１９９】
第二のＬＤ４０から出力された第二波長のレーザ光は、第二の往路用ＤＯＥ４２を通り抜ける。そのときに、第二波長のレーザ光は直線偏光Ｓ波となる。第二の往路用ＤＯＥ４２を透過した直線偏光Ｓ波の第二波長レーザ光は、第二のＰＢＳ４３に入射される。第二のＰＢＳ４３は、ＰＢＳ４３内において、Ｓ波を略直角に反射させ、Ｐ波を略直進させて透過させるものとして構成されている。
【０２００】
第二のＰＢＳ４３は、略三角柱状の第一部材４３Ａと、この第一部材４３Ａに合わせられる略三角柱状の第二部材４３Ｂとを備えるものとして構成されている。略三角柱状の第一部材４３Ａと、略三角柱状の第二部材４３Ｂとが合わせられることで、略立方体形状の第二のＰＢＳ４３が構成される。第二のＰＢＳ４３を構成する第一部材４３Ａと、第二のＰＢＳ４３を構成する第二部材４３Ｂとの間に、特殊な膜４３ｆが設けられている。第二
のＰＢＳ４３内に、ダイクロ膜４３ｆが形成されている。第二のＰＢＳ４３内に、第二波長光のＳ波または第三波長光のＳ波を略直角に反射させ、第二波長光のＰ波または第三波長光のＰ波を略直進させて透過させるダイクロ皮膜４３ｆが設けられている。第二のＰＢＳ４３は、ＰＢＳ４３内において、第二波長光のＳ波または第三波長光のＳ波を略直角に反射させ、第二波長光のＰ波または第三波長光のＰ波を略直進させて透過させるものとして構成されている。
【０２０１】
これにより、第二のＰＢＳ４３に入射された第二波長のＳ波のレーザ光または第三波長のＳ波のレーザ光は、第二のＰＢＳ４３内において略直角に反射されて第二のＰＢＳ４３内を通り抜け第二のＰＢＳ４３から出射する。また、第二のＰＢＳ４３に入射された第二波長のＰ波のレーザ光または第三波長のＰ波のレーザ光は、略直進して第二のＰＢＳ４３内を通り抜け第二のＰＢＳ４３から出射する。内部にダイクロ膜４３ｆを備えたＰＢＳ４３として、例えば、タムロン社製：ダイクロイック・プリズムなどが挙げられる。第二の往路用ＤＯＥ４２を透過した直線偏光Ｓ波の第二波長レーザ光または直線偏光Ｓ波の第三波長レーザ光は、ＤＶＤ用およびＣＤ用の第二のＰＢＳ４３内を略直角に屈折して通り抜ける。
【０２０２】
前記ダイクロ膜４３ｆは、例えば、真空蒸着法、スパッタリング法などに基づいて、所望の面に形成される。また、前記ダイクロ膜４３ｆは、ＳｉＯ２，ＺｎＯ２，ＴｉＯ２およびＴｉ２Ｏ５からなる群から選択される少なくとも一種以上の物質を含有する薄層として構成されている。
【０２０３】
第二のＰＢＳ４３内を略直角に屈折して通り抜けた第二波長のレーザ光は、ＤＶＤ用もしくはＣＤ用の第二のＣＬ４５を通り抜けて、第二波長光または第三波長光反射用の第二反射性ミラー４６に当てられる。
【０２０４】
ＤＶＤ用もしくはＣＤ用の第二のＣＬ４５を通り抜けて、第二波長光または第三波長光反射用の第二反射性ミラー４６に当てられた第二波長レーザ光が、第二のＯＢＬ７９を透過してＤＶＤ規格の第二メディア（２００）に照射されると共に反射され、反射された第二波長レーザ光が第二のＰＤＩＣ４９に達するまでの光路説明や、第二波長レーザ光がＦＭＤ５９に達するまでの光路説明については、上記第一実施例における光路説明と同じとされることから、その詳細な説明を省略した。
【０２０５】
次に、第二のＬＤ４０から出射された第三波長レーザ光が、第二のＯＢＬ７９を透過してＣＤ規格の不図示の第三メディアに照射されると共に反射され、反射された第三波長レーザ光が第二のＰＤＩＣ４９に達するまでの光路について説明する。
【０２０６】
上記ＬＤＤから第二の発光素子４０へ電流が流されて、第二の発光素子４０から第三波長のレーザ光が出力される。詳しく説明すると、上記ＬＤＤからＣＤおよびＤＶＤ用発光素子４０へ電流が流されて、ＣＤおよびＤＶＤ用発光素子４０からＣＤ系ディスクに対応した波長のレーザ光が出力される。第二の発光素子４０から、例えば波長が約７７０〜８３０ｎｍ、基準とされる波長が略７８０ｎｍのレーザ光が出射される。
【０２０７】
ＬＤＤから第二のＬＤ４０に電流が供給され、第二のＬＤ４０から出射された波長７７０〜８３０ｎｍのレーザ光により、ＣＤ規格の光ディスクに情報の記録が行われたり、ＣＤ規格の光ディスクに記録された情報が再生されたりする。
【０２０８】
第二のＬＤ４０から出力された第三波長のレーザ光は、第二の往路用ＤＯＥ４２を通り抜ける。そのときに、第三波長のレーザ光は直線偏光Ｓ波となる。第二の往路用ＤＯＥ４２を透過した直線偏光Ｓ波の第三波長レーザ光は、第二のＰＢＳ４３に入射される。第二
の往路用ＤＯＥ４２を透過した直線偏光Ｓ波の第三波長レーザ光は、ＤＶＤ用およびＣＤ用の第二のＰＢＳ４３内を略直角に屈折して通り抜ける。
【０２０９】
第二のＰＢＳ４３内を略直角に屈折して通り抜けた第三波長のレーザ光は、ＤＶＤ用もしくはＣＤ用の第二のＣＬ４５を通り抜けて、第二波長光または第三波長光反射用の第二反射性ミラー４６に当てられる。
【０２１０】
ＤＶＤ用もしくはＣＤ用の第二のＣＬ４５を通り抜けて、第二波長光または第三波長光反射用の第二反射性ミラー４６に当てられた第三波長レーザ光が、第二のＯＢＬ７９を透過してＣＤ規格の第三メディアに照射されると共に反射され、反射された第三波長レーザ光が第二のＰＤＩＣ４９に達するまでの光路説明や、第三波長レーザ光がＦＭＤ５９に達するまでの光路説明については、上記第一実施例における光路説明と同じとされることから、その詳細な説明を省略した。
【０２１１】
ＯＰＵ３の第二のＬＤ４０は、ＤＶＤ用の第二波長のレーザ光と、「Blu-ray Disc」用もしくは「ＨＤ  ＤＶＤ」用の第一波長のレーザ光と異なる波長とされると共にＤＶＤ用の第二波長のレーザ光と異なる波長とされるＣＤ用の第三波長のレーザ光とを出射可能な二波長ＬＤ４０とされている。
【０２１２】
また、ＯＰＵ３の第二の往路用ＤＯＥ４２は、ＤＶＤ用の第二波長のレーザ光と、ＣＤ用の第三波長のレーザ光との二波長に対応可能なＤＯＥとされている。また、ＯＰＵ３の第二の往路用ＰＢＳ４３は、ＤＶＤ用の第二波長のレーザ光と、ＣＤ用の第三波長のレーザ光との二波長に対応可能なＰＢＳとされている。
【０２１３】
二波長ＬＤ４０が用いられることにより、多種のメディアに対応可能なＯＰＵ３が構成されると共に、ＯＰＵ３の部品点数の削減化が図られる。第二のＬＤ４０は、ＤＶＤ用の第二波長のレーザ光と、ＣＤ用の第三波長のレーザ光との二種類の波長光を出射可能な二波長ＬＤ４０として構成されているので、ＯＰＵ３は、多種のメディアに対応可能となる。また、これと共に、ＤＶＤ用の第二波長のレーザ光を出射可能なＬＤと、ＣＤ用の第三波長のレーザ光を出射可能なＬＤとが、一つのＬＤ４０としてまとめられているので、ＯＰＵ３の部品削減化、軽量化、小型化、価格低減化が図られることとなる。
【０２１４】
また、ＤＶＤ用の第二波長のレーザ光と、ＣＤ用の第三波長のレーザ光との二波長に対応可能なＤＯＥ４２が用いられることにより、ＯＰＵ３の部品削減化、軽量化、小型化、価格低減化が図られる。また、ＤＶＤ用の第二波長のレーザ光と、ＣＤ用の第三波長のレーザ光との二波長に対応可能なＰＢＳ４３が用いられることにより、ＯＰＵ３の部品削減化、軽量化、小型化、価格低減化が図られる。
【０２１５】
従って、Blu-ray Disc系メディアや、「ＨＤ  ＤＶＤ」などのＤＶＤ系メディアや、ＣＤ系メディアなどの多種のメディアに対応可能とされると共に、部品削減化、軽量化、小型化、価格低減化が図られたＯＰＵ３を、ＯＰＵ３の組立メーカやＯＰＵ３の使用者等に提供することができる。
【０２１６】
次に、図４に示す光ピックアップ装置について説明する。
【実施例４】
【０２１７】
図４は、本発明に係る光ピックアップ装置の第四の実施形態を示す概略図である。
【０２１８】
このＯＰＵ４における集光スポットＳｂ，Ｓｄのフォーカシング検出法は、上記第二実施例のＯＰＵ２（図２）と同じく、ナイフエッジ法に基づいた検出法とされている。この
ＯＰＵ４（図４）は、ナイフエッジ法による光学系を備えたＯＰＵ４とされている。なお、このＯＰＵ４における集光スポットＳｂ，Ｓｄのトラッキング検出法は、上記第一実施例のＯＰＵ１（図１）や、上記第三実施例のＯＰＵ３（図３）等と同じく、差動プッシュプル法や、位相差法に基づいた検出法とされる。
【０２１９】
図４の如く、第一のＰＢＳ１３と、第一のセンサレンズ１８との間の光路に、「Blu-ray Disc」用もしくは「ＨＤ  ＤＶＤ」用の第一の復路用ＤＯＥ１７が装備されている。このＯＰＵ４は、四分割ホログラム素子によってナイフエッジが形成された第一の復路用ＤＯＥ１７を備えて構成される。
【０２２０】
また、第二のＰＢＳ４３と、第二のセンサレンズ４８との間の光路に、ＤＶＤ用もしくはＣＤ用の第二の復路用ＤＯＥ４７が装備されている。このＯＰＵ４は、四分割ホログラム素子によってナイフエッジが形成された第二の復路用ＤＯＥ４７を備えて構成される。
【０２２１】
図３に示す第三実施例のＯＰＵ３と、図４に示す第二実施例のＯＰＵ４とは、前記した部分において異なるものとされている。しかしながら、他の部分においては、第三実施例のＯＰＵ３（図３）と、第二実施例のＯＰＵ４（図４）とは、同一のものとされている。図４に示す第二実施例のＯＰＵ４において、図１に示す第一実施例のＯＰＵ１や、図３に示す第三実施例のＯＰＵ３と同一のものについては、同一の符号を付しその詳細な説明を省略した。
【０２２２】
図１に示すダイバージェントレンズ３１は、図４に示すＯＰＵ４において省略されている。また、図４に示すＯＰＵ４においては、便宜上、他のＬＤ４０が第二のＬＤ４０とされる。また、図４に示すＯＰＵ４においては、便宜上、他の往路用ＤＯＥ４２が第二の往路用ＤＯＥ４２とされる。また、図４に示すＯＰＵ４においては、便宜上、他のＰＢＳ４３が第二のＰＢＳ４３とされる。
【０２２３】
ＯＰＵ４（図４）の第二のＬＤ４０は、ＤＶＤ用の第二波長のレーザ光と、「Blu-ray Disc」用もしくは「ＨＤ  ＤＶＤ」用の第一波長のレーザ光と異なる波長とされると共にＤＶＤ用の第二波長のレーザ光と異なる波長とされるＣＤ用の第三波長のレーザ光とを出射可能な二波長ＬＤ４０とされている。
【０２２４】
また、ＯＰＵ４の第二の往路用ＤＯＥ４２は、ＤＶＤ用の第二波長のレーザ光と、ＣＤ用の第三波長のレーザ光との二波長に対応可能なＤＯＥとされている。また、ＯＰＵ４の第二の往路用ＰＢＳ４３は、ＤＶＤ用の第二波長のレーザ光と、ＣＤ用の第三波長のレーザ光との二波長に対応可能なＰＢＳとされている。
【０２２５】
先ず、第一のＬＤ１０から出射された第一波長レーザ光が、第一のＯＢＬ６９を透過して「Blu-ray Disc」規格の第一メディア１００に照射されると共に反射され、反射された第一波長レーザ光が第一のＰＤＩＣ１９に達するまでの光路について説明する。なお、第一のＬＤ１０から出射された第一波長レーザ光が、第一のＯＢＬ６９を透過して「Blu-ray Disc」規格の第一メディア１００に照射されると共に反射されて第一のＰＢＳ１３まで戻される過程の光路説明や、第一波長レーザ光がＦＭＤ５９に達するまでの光路説明については、上記第一実施例における光路説明と同じとされることから、その詳細な説明を省略した。
【０２２６】
第一のＣＬ１５を透過し第一のＰＢＳ１３に達した復路のＳ波の第一波長レーザ光は、第一のＰＢＳ１３内を略直角に屈折して通り抜け、「Blu-ray Disc」用もしくは「ＨＤ  ＤＶＤ」用の第一の復路用ＤＯＥ１７に達する。第一の復路用ＤＯＥ１７を透過した復路の第一波長レーザ光は、「Blu-ray Disc」用もしくは「ＨＤ  ＤＶＤ」用の第一のセンサ
レンズ１８を通り抜ける。第一のセンサレンズ１８を透過した復路の第一波長レーザ光は、「Blu-ray Disc」用もしくは「ＨＤ  ＤＶＤ」用の第一のＰＤＩＣ１９に当てられる。
【０２２７】
次に、第一のＬＤ１０から出射された第一波長レーザ光が、第二のＯＢＬ７９を透過して「ＨＤ  ＤＶＤ」規格の第二メディア２００に照射されると共に反射され、反射された第一波長レーザ光が第一のＰＤＩＣ１９に達するまでの光路について説明する。なお、第一のＬＤ１０から出射された第一波長レーザ光が、第二のＯＢＬ７９を透過して「ＨＤ  ＤＶＤ」規格の第二メディア２００に照射されると共に反射されて第一のＰＢＳ１３まで戻される過程の光路説明や、第一波長レーザ光がＦＭＤ５９に達するまでの光路説明については、上記第一実施例における光路説明と同じとされることから、その詳細な説明を省略した。
【０２２８】
第一のＣＬ１５を透過し第一のＰＢＳ１３に達した復路のＳ波の第一波長レーザ光は、第一のＰＢＳ１３内を略直角に屈折して通り抜け、「Blu-ray Disc」用もしくは「ＨＤ  ＤＶＤ」用の第一の復路用ＤＯＥ１７に達する。第一の復路用ＤＯＥ１７を透過した復路の第一波長レーザ光は、「Blu-ray Disc」用もしくは「ＨＤ  ＤＶＤ」用の第一のセンサレンズ１８を通り抜け、「Blu-ray Disc」用もしくは「ＨＤ  ＤＶＤ」用の第一のＰＤＩＣ１９に当てられる。
【０２２９】
次に、第二のＬＤ４０から出射された第二波長レーザ光が、第二のＯＢＬ７９を透過してＤＶＤ規格の第二メディア（２００）に照射されると共に反射され、反射された第二波長レーザ光が第二のＰＤＩＣ４９に達するまでの光路について説明する。
【０２３０】
上記ＬＤＤから第二の発光素子４０へ電流が流されて、第二の発光素子４０から第二波長のレーザ光が出力される。詳しく説明すると、上記ＬＤＤからＣＤおよびＤＶＤ用発光素子４０へ電流が流されて、ＣＤおよびＤＶＤ用発光素子４０からＤＶＤ系ディスクに対応した波長のレーザ光が出力される。第二の発光素子４０から、例えば波長が約６３０〜６８５ｎｍ、基準とされる波長が略６３５ｎｍまたは略６５０ｎｍの赤色レーザ光が出射される。
【０２３１】
ＬＤＤから第二のＬＤ４０に電流が供給され、第二のＬＤ４０から出射された波長６３０〜６８５ｎｍの赤色レーザ光により、ＤＶＤ規格の光ディスク（２００）に情報の記録が行われたり、ＤＶＤ規格の光ディスク（２００）に記録された情報が再生されたりする。
【０２３２】
第二のＬＤ４０から出力された第二波長のレーザ光は、第二の往路用ＤＯＥ４２を通り抜ける。そのときに、第二波長のレーザ光は直線偏光Ｓ波となる。第二の往路用ＤＯＥ４２を透過した直線偏光Ｓ波の第二波長レーザ光は、第二のＰＢＳ４３に入射される。第二の往路用ＤＯＥ４２を透過した直線偏光Ｓ波の第二波長レーザ光は、ＤＶＤ用およびＣＤ用の第二のＰＢＳ４３内を略直角に屈折して通り抜ける。
【０２３３】
第二のＰＢＳ４３内を略直角に屈折して通り抜けた第二波長のレーザ光は、ＤＶＤ用もしくはＣＤ用の第二のＣＬ４５を通り抜けて、第二波長光または第三波長光反射用の第二反射性ミラー４６に当てられる。
【０２３４】
ＤＶＤ用もしくはＣＤ用の第二のＣＬ４５を通り抜けて、第二波長光または第三波長光反射用の第二反射性ミラー４６に当てられた第二波長レーザ光が、第二のＯＢＬ７９を透過してＤＶＤ規格の第二メディア（２００）に照射されると共に反射され、反射された第二波長レーザ光が第二のＰＢＳ４３まで戻される過程の光路説明や、第二波長レーザ光がＦＭＤ５９に達するまでの光路説明については、上記第一実施例における光路説明と同じ
とされることから、その詳細な説明を省略した。
【０２３５】
第二のＣＬ４５を透過し第二のＰＢＳ４３に達した復路の直線偏光Ｐ波の第二波長レーザ光は、第二のＰＢＳ４３内を略直進して通り抜けて、ＤＶＤ用もしくはＣＤ用の第二の復路用ＤＯＥ４７に達する。第二の復路用ＤＯＥ４７を透過した復路の第二波長のレーザ光は、ＤＶＤ用もしくはＣＤ用の第二のセンサレンズ４８を通り抜け、ＤＶＤ用もしくはＣＤ用の第二のＰＤＩＣ４９に当てられる。
【０２３６】
次に、第二のＬＤ４０から出射された第三波長レーザ光が、第二のＯＢＬ７９を透過してＣＤ規格の第三メディアに照射されると共に反射され、反射された第三波長レーザ光が第二のＰＤＩＣ４９に達するまでの光路について説明する。
【０２３７】
上記ＬＤＤから第二の発光素子４０へ電流が流されて、第二の発光素子４０から第三波長のレーザ光が出力される。詳しく説明すると、上記ＬＤＤからＣＤおよびＤＶＤ用発光素子４０へ電流が流されて、ＣＤおよびＤＶＤ用発光素子４０からＣＤ系ディスクに対応した波長のレーザ光が出力される。第二の発光素子４０から、例えば波長が約７７０〜８３０ｎｍ、基準とされる波長が略７８０ｎｍのレーザ光が出射される。
【０２３８】
ＬＤＤから第二のＬＤ４０に電流が供給され、第二のＬＤ４０から出射された波長７７０〜８３０ｎｍのレーザ光により、ＣＤ規格の光ディスクに情報の記録が行われたり、ＣＤ規格の光ディスクに記録された情報が再生されたりする。
【０２３９】
第二のＬＤ４０から出力された第三波長のレーザ光は、第二の往路用ＤＯＥ４２を通り抜ける。そのときに、第三波長のレーザ光は直線偏光Ｓ波となる。第二の往路用ＤＯＥ４２を透過した直線偏光Ｓ波の第三波長レーザ光は、第二のＰＢＳ４３に入射される。第二の往路用ＤＯＥ４２を透過した直線偏光Ｓ波の第三波長レーザ光は、ＤＶＤ用およびＣＤ用の第二のＰＢＳ４３内を略直角に屈折して通り抜ける。
【０２４０】
第二のＰＢＳ４３内を略直角に屈折して通り抜けた第三波長のレーザ光は、ＤＶＤ用もしくはＣＤ用の第二のＣＬ４５を通り抜けて、第二波長光または第三波長光反射用の第二反射性ミラー４６に当てられる。
【０２４１】
ＤＶＤ用もしくはＣＤ用の第二のＣＬ４５を通り抜けて、第二波長光または第三波長光反射用の第二反射性ミラー４６に当てられた第三波長レーザ光が、第二のＯＢＬ７９を透過してＣＤ規格の第三メディアに照射されると共に反射され、反射された第三波長レーザ光が第二のＰＢＳ４３まで戻される過程の光路説明や、第三波長レーザ光がＦＭＤ５９に達するまでの光路説明については、上記第一実施例における光路説明と同じとされることから、その詳細な説明を省略した。
【０２４２】
第二のＣＬ４５を透過し第二のＰＢＳ４３に達した復路の直線偏光Ｐ波の第三波長レーザ光は、第二のＰＢＳ４３内を略直進して通り抜けて、ＤＶＤ用もしくはＣＤ用の第二の復路用ＤＯＥ４７に達する。第二の復路用ＤＯＥ４７を透過した復路の第三波長のレーザ光は、ＤＶＤ用もしくはＣＤ用の第二のセンサレンズ４８を通り抜け、ＤＶＤ用もしくはＣＤ用の第二のＰＤＩＣ４９に当てられる。
【０２４３】
上記ＯＰＵ１，２，３，４は、例えば、「ＣＤ−ＲＯＭ」，「ＤＶＤ−ＲＯＭ」などの読出し専用の光ディスクや、「ＣＤ−Ｒ」，「ＤＶＤ−Ｒ」，「ＤＶＤ＋Ｒ」などの追記型の光ディスクや、「ＣＤ−ＲＷ」，「ＤＶＤ−ＲＷ」，「ＤＶＤ＋ＲＷ」，「ＤＶＤ−ＲＡＭ」，「ＨＤ−ＤＶＤ」，「Blu ray Disc」などの書込み／消去や書換え可能なタイプの光ディスクに対応したものとされる。
【０２４４】
また、上記ＯＰＵ１，２，３，４を備える不図示の光ディスク装置は、例えば、ノート型パーソナルコンピュータ（図示せず）や、ラップトップ型パーソナルコンピュータ（図示せず）や、デスクトップ型パーソナルコンピュータ（図示せず）などのコンピュータや、ＣＤプレーヤなどの音響機器や、ＤＶＤプレーヤなどの音響／映像機器（図示せず）などに装備可能なものとされる。また、上記ＯＰＵ１，２，３，４を備える不図示の光ディスク装置は、ＣＤ系光ディスクや、ＤＶＤ系光ディスク等の複数のメディアに対応可能なものとされる。
【０２４５】
本発明の光ピックアップ装置は、図示されたものや、上記に記載されたものに限定されるものではない。
【０２４６】
例えば、図１〜図４に示すBlu-ray Disc用の第一ＯＢＬ６９に代えて、例えば、第一メディア１００に照射される第一波長レーザ光の光軸方向に沿って配列された一対のＯＢＬ（図示せず）が、重ね合わせられるようにBlu-ray Disc用のＯＢＬとしてＯＰＵ１，２，３，４に配備されてもよい。すなわち、図１〜図４に示すBlu-ray Disc用の第一ＯＢＬ６９に代えて、例えば、フォーカス方向Ｄｆに沿って直列に配置された一対の不図示のＯＢＬが、Blu-ray Disc用のＯＢＬとしてＯＰＵ１，２，３，４に配備されてもよい。
【０２４７】
また、例えば、上記一つのＬＤＤに代えて、上記第一のＬＤ１０に対応した第一のＬＤＤ（図示せず）と、上記第二のＬＤ２０に対応した第二のＬＤＤ（図示せず）と、上記第三のＬＤ３０に対応した第三のＬＤＤ（図示せず）とが、個別にＯＰＵ１，２，３，４に装備されてもよい。また、前記第二のＬＤ２０に対応した不図示の第二のＬＤＤと、前記第三のＬＤ３０に対応した不図示の第三のＬＤＤとが、一つのＬＤＤ（図示せず）として構成されてもよい。
【０２４８】
また、例えば、Blu-ray Disc用の反射性ミラー６６と、Blu-ray Disc用の第一のＯＢＬ６９との間の光路に、さらにBlu-ray Disc用の液晶補正素子（図示せず）が設けられてもよい。
【０２４９】
本発明の光ピックアップ装置は、その要旨を逸脱しない範囲において、種々変更可能とされる。
【図面の簡単な説明】
【０２５０】
【図１】本発明に係る光ピックアップ装置の第一の実施形態を示す概略図である。
【図２】本発明に係る光ピックアップ装置の第二の実施形態を示す概略図である。
【図３】本発明に係る光ピックアップ装置の第三の実施形態を示す概略図である。
【図４】本発明に係る光ピックアップ装置の第四の実施形態を示す概略図である。
【図５】従来の光ピックアップ装置の一形態を示す概略図である。
【符号の説明】
【０２５１】
１，２，３，４    ＯＰＵ（光ピックアップ装置）
１０，２０，３０，４０  ＬＤ（発光素子）
１２，１７，２２，３２，４２，４７  ＤＯＥ（回折光学素子）
１３，２３，３３，４３  ＰＢＳ（偏光ビームスプリッタ）
１３Ａ，２３Ａ，３３Ａ，４３Ａ  第一部材
１３Ｂ，２３Ｂ，３３Ｂ，４３Ｂ  第二部材
１３ｆ，１６ｆ，２３ｆ，４６ｆ，６６ｆ  皮膜（膜）
１５，４５        ＣＬ（コリメータレンズ）
１６，４６，６６  ミラー
１８，４８        センサレンズ
１９，４９        ＰＤＩＣ（光検出器）
３１              ダイバージェントレンズ（カップリングレンズ）
３３ｆ，４３ｆ，５１ｆｂ  ダイクロ膜（膜）
５０              アクティブ波長板（液晶素子）
５０Ａ            第一部材
５０Ｂ            第二部材
５０Ｃ            第三部材
５１              ダイクロイックミラー（ミラー）
５１ａ，５６ａ    表側面（表面）
５１ｂ，５６ｂ    裏側面（表面）
５１ｆａ          反射防止膜（膜）
５６ｆ            偏光性皮膜（膜）
５１ｎ，５６ｎ    内部
５３，５４        ビームエキスパンダレンズ（エキスパンダレンズ）
５６              偏光性ミラー（偏光ミラー）
５９              ＦＭＤ（受光素子）
６９，７９        ＯＢＬ（対物レンズ）
７０              液晶補正素子
７４              ＱＷＰ（１／４波長板）
１００，２００    光ディスク（メディア）
１１０，１２０，２１０，２２０    基板
１１０ｔ，１２０ｔ，２１０ｔ，２２０ｔ  厚さ
１５０，２５０    信号面（信号部）
Ｄｆ              フォーカス方向
Ｄｔ              トラッキング方向
Ｓｂ，Ｓｄ        集光スポット（スポット）
ＷＤｂ，ＷＤｄ    ワーキングディスタンス（作動距離）
【図１】
2007328895.tif 000003
【図２】
2007328895.tif 000004
【図３】
2007328895.tif 000005
【図４】
2007328895.tif 000006
【図５】
2007328895.tif 000007